(57)【特許請求の範囲】
【請求項１】
給湯源から供給される湯と給水源から供給される水とを混合した湯水を吐止水する湯水混合水栓装置であって、
給湯源から供給された湯と給水源から供給された水とが混合される湯水混合部を備えた水栓本体と、
上記水栓本体に設けられ、上記水栓本体の上流側の水圧により開閉し、上記給水源から上記水栓本体への給水が停止される水抜き操作により開いた状態となり、上記水栓本体に対して吸気及び排水を行う吸気排水弁と、を有し、
上記吸気排水弁は、上記水抜き操作により開弁し、上記湯水混合部の上流側の湯及び水のそれぞれの流路に対して吸気が自動的に行われ、且つ、上記湯水混合部の下流側の湯水の流路に対して吸気又は排水が自動的に行われるように構成されている単一の吸気排水弁であることを特徴とする湯水混合水栓装置。
【請求項２】
更に、上記給水源から上記水栓本体に給水された水が流入する圧力室を有し、上記吸気排水弁は、上記圧力室内に設けられて上記圧力室内の水圧が作用する弁体を備え、この弁体及び上記水栓本体の上記弁体近傍には、上記弁体を介して上記圧力室と上記水栓本体の外部とを連通させる連通部が設けられ、この連通部は、上記水抜き操作により上記給水源から上記水栓本体への給水が停止されることにより上記圧力室内の水圧が低下して上記弁体が開弁したときに、上記連通部から上記圧力室内に吸気がなされ、上記圧力室内の水を上記連通部を介して上記水栓本体の外部に排出するように構成されている請求項１記載の湯水混合水栓装置。
【請求項３】
上記弁体は、上記圧力室内に水圧により開閉するダイヤフラム式の弁体である請求項２記載の湯水混合水栓装置。
【請求項４】
上記連通部は、上記弁体に形成されて上記給水源から上記水栓本体に給水された水を上記圧力室内に通過させる連通穴を含み、上記弁体は、上記連通穴を通過して上記圧力室内に流入した水の圧力により開閉する請求項２又は３に記載の湯水混合水栓装置。
【請求項５】
更に、上記吸気排水弁に設けられて且つこの吸気排水弁を手動で操作可能な手動操作部を有する請求項１乃至４の何れか１項に記載の湯水混合水栓装置。
【請求項６】
更に、上記湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有し、この温度調節機能部は、上記湯流入部及び上記水流入部から上記湯水流出部に向かって下方に傾斜するように上記水栓本体内に傾斜して配置されている請求項１乃至５の何れか１項に記載の湯水混合水栓装置。
【請求項７】
更に、上記湯水混合部で混合された湯水を吐出させるシャワーヘッドが先端部に設けられたシャワーホース部と、このシャワーホース部と上記水栓本体とを接続するシャワーホース接続部と、を有し、このシャワーホース接続部は、上記吸気排水弁により開閉される排水部の最低位置よりも上方に位置している請求項１乃至６の何れか１項に記載の湯水混合水栓装置。
【請求項８】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路に設けられて湯の逆流を防止する湯用逆流防止弁と、上記通水路に設けられて水の逆流を防止する水用逆流防止弁と、上記湯用逆流防止弁及び上記水用逆流防止弁よりも下流側に設けられて、上記通湯路から供給された湯の量と上記通水路から供給された水の量を調節して混合することにより湯水の温度調節を行う温度調節機能部と、を備えた水栓本体と、
上記水栓本体の下流側に設けられ、上記温度調節機能部で混合された湯水を吐出させるカラン吐水部と、
上記水栓本体の下流側に設けられ、上記温度調節機能部で混合された湯水を吐出させるシャワー吐水部と、
上記水栓本体の上記温度調節機能部の下流側に設けられ、上記カラン吐水部及び上記シャワー吐水部のそれぞれに湯水を供給する湯水混合路を開閉する開閉弁を備え、上記カラン吐水部からの吐水及び止水、並びに、上記シャワー吐水部からの吐水及び止水を切り替え可能な切替部と、
上記水栓本体に設けられ、上記給水源から上記水栓本体への給水が停止される水抜き操作により外気を吸入可能な吸気部と、
上記水栓本体に設けられ、上記水抜き操作により上記水栓本体内の残水を排水可能な排水部と、
上記水栓本体の上流側の水圧により開閉し、上記水抜き操作により開いた状態となり、上記吸気部による吸気を可能にすると共に、上記排水部による排水を可能にする吸気排水弁と、を有し、
上記吸気部は、上記水用逆流防止弁よりも上流側の上記通水路である第１の流路に設けられた第１の吸気部と、上記湯用逆流防止弁よりも上流側の上記通湯路である第２の流路に設けられた第２の吸気部と、上記水用逆流防止弁及び上記湯用逆流防止弁のそれぞれから上記開閉弁までの第３の流路に設けられた第３の吸気部と、上記開閉弁から上記カラン吐水部までの第４の流路に設けられた第４の吸気部と、上記開閉弁から上記シャワー吐水部までの第５の流路に設けられた第５の吸気部と、を備え、
上記排水部は、上記第３の流路に設けられた第１の排水部と、上記第５の流路に設けられた第２の排水部と、を備えていることを特徴とする湯水混合水栓装置。
【請求項９】
上記第３の流路は、上記水用逆流防止弁から上記温度調節機能部までの第６の流路と、上記湯用逆流防止弁から上記温度調節機能部までの第７の流路と、上記温度調節機能部から上記開閉弁までの第８の流路と、を備え、
上記第３の吸気部は、上記第６の流路に設けられた第６の吸気部と、上記第７の流路に設けられた第７の吸気部と、備え、
上記第１の排水部は、上記第６の流路に設けられた第３の排水部と、上記第７の流路に設けられた第４の排水部と、上記第８の流路に設けられた第５の排水部と、を備えている請求項８記載の湯水混合水栓装置。
【請求項１０】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、
上記水栓本体の下流側に設けられ、上記湯水混合路を通過した湯水を吐出させる吐水部と、
上記水栓本体に設けられ、上記通湯路、上記通水路及び上記湯水混合路を開閉することにより上記吐水部からの吐水及び止水を切り替え可能である共に、上記通湯路及び上記通水路のそれぞれから上記湯水混合部に流入する湯及び水のそれぞれの量を調節する開閉弁と、
上記水栓本体に設けられ、上記湯水混合部よりも上流側の上記通水路及び上記通湯路のそれぞれと上記湯水混合部よりも下流側の上記湯水混合路とを連通させる連通部と、
この連通部に形成された圧力室内に設けられ、上記水栓本体の上流側から上記圧力室内に流入する水圧により上記連通部を開閉し、上記給水源から上記水栓本体への給水が停止される水抜き操作により上記連通部が開放された状態となり、上記水栓本体内に対して吸気及び排水を行う吸気排水弁と、を有し、
上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、
上記水栓本体における上記吸気排水弁の近傍には、上記第３の連通部から排水された湯水を上記水栓本体の外部に排水する排水部が上記吸気排水弁により開閉可能に設けられ、上記第３の連通部及び上記排水部は、上記水抜き操作により上記通水路から上記連通部の圧力室内に流入する水の圧力が低下して上記吸気排水弁が開弁すると、上記吐水部から上記湯水混合路を経て上記第３の連通部に吸気され、上記湯水混合路内の湯水が上記第３の連通部を経て上記排水部から上記水栓本体の外部に排水されるように構成されていることを特徴とする湯水混合水栓装置。
【請求項１１】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、
上記水栓本体の下流側に設けられ、上記湯水混合路を通過した湯水を吐出させる吐水部と、
上記水栓本体に設けられ、上記通湯路、上記通水路及び上記湯水混合路を開閉することにより上記吐水部からの吐水及び止水を切り替え可能である共に、上記通湯路及び上記通水路のそれぞれから上記湯水混合部に流入する湯及び水のそれぞれの量を調節する開閉弁と、
上記水栓本体に設けられ、上記湯水混合部よりも上流側の上記通水路及び上記通湯路のそれぞれと上記湯水混合部よりも下流側の上記湯水混合路とを連通させる連通部と、
この連通部に形成された圧力室内に設けられ、上記水栓本体の上流側から上記圧力室内に流入する水圧により上記連通部を開閉し、上記給水源から上記水栓本体への給水が停止される水抜き操作により上記連通部が開放された状態となり、上記水栓本体内に対して吸気及び排水を行う吸気排水弁と、を有し、
上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水抜き操作により上記通水路から上記連通部の圧力室内に流入する水の圧力が低下して上記吸気排水弁が開弁すると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記第１の連通部及び上記第２の連通部のそれぞれから上記通水路及び上記通湯路のそれぞれに排水されるように構成されていることを特徴とする湯水混合水栓装置。
【請求項１２】
更に、上記水栓本体における上記吸気排水弁の近傍に上記吸気排水弁により開閉可能に設けられて、上記第３の連通部から排水された湯水を上記水栓本体の外部に排水する排水部を有する請求項１１記載の湯水混合水栓装置。
【発明の詳細な説明】
【技術分野】
【０００１】
本発明は、湯水混合水栓装置に関し、特に、寒冷地で用いられ、給湯源から供給される湯と給水源から供給される水とを混合した湯水を吐止水する湯水混合水栓装置に関する。
【背景技術】
【０００２】
まず、寒冷地で用いられ、給水源から供給された水を吐止水する単水栓装置として、例えば、特許文献１には、この水道用蛇口は、水道管に接続される接続部と、吐水、止水を切り換える栓機能部と、接続部と栓機能部の間に設けられた吸気弁を備えた水道用蛇口が記載されている。
この水道用蛇口が寒冷地に設置された場合、夜間に、蛇口本体内や水道管内の水が凍結するのを防止するために水抜きを行う必要があり、水道管の途中に設けた水抜き栓を水抜き側に操作することにより、流路に滞留している水が排出されるようになっている。すなわち、吸気弁から流路内に外気が吸入されることにより、水抜き栓の下流側から水道用蛇口の栓機能部の上流側までの流路に滞留している水が排出されるようになっている。
一方、栓機能部の下流側では、残水一部が吐水口から排出されることもあるが、残水が滞留する可能性も高く、すべての残水を吐水口から完全に排出することが難しいという問題がある。
【０００３】
また、特許文献２には、寒冷地での水道配管の途中に接続され、管内に空気を導入して、排水を行わせるための吸気弁について記載されている。この吸気弁には、水配管からの水圧と、ばねにより吸気弁の上流の吸気口を開閉するピストンが設けられ、水抜き操作時以外の通常時には、水の圧力が湯の圧力とばねの復元力を上回ることによってピストンが吸気口を閉鎖し、水抜き操作時には、水の圧力がばねの復元力を下回ることによってピストンが吸気口を開放し、吸気弁から外気が吸入されるようになっている。
【０００４】
さらに、特許文献３には、寒冷地の給水設備に設けられ、水抜き栓を操作するのみで配管内の水を自動的に排水することができる自動水抜き弁について記載されている。この自動水抜き弁が設けられた給水設備は、水道本管に連結された１次配管と、この１次配管に連結された水抜き栓と、この水抜き栓に連結されて給湯器まで延びる冷水用２次配管と、この冷水用２次配管に連結された冷水用ヘッダーと、給湯器と温水用ヘッダーとを連結する温水用２次配管と、冷水用ヘッダーと湯水混合水栓装置とを連結する給水配管と、温水用ヘッダーと湯水混合水栓装置とを連結する給湯配管とを備えており、湯水混合水栓装置よりも上流側の冷水用１次配管と給湯器との間には、第１の自動水抜き弁が設けられ、湯水混合水栓装置よりも上流側の冷水用ヘッダーと温水用ヘッダーとの間には、第２の自動水抜き弁が設けられている。
しかしながら、例えば、温度調節機能付きの湯水混合水栓装置の本体の内部には、その上流側から供給される湯及び水のそれぞれを混合し、吐水させる湯水の温度を調節したり、吐水部における吐止水を切り替える機能部等が設けられており、このような機能部に流入する湯及び水のそれぞれの流路や、機能部で混合された湯水が吐水部に流れる流路が複雑に形成されているが、湯水混合水栓装置の本体自体には自動水抜き弁が設けられていないため、水抜き栓を操作しただけでは、湯水混合水栓装置の本体内の流路に湯や水が滞留し、湯水混合水栓装置の本体内の残水を完全に排出することが難しいという問題がある。
また、寒冷地における水抜きについて、温度調節機能付きの湯水混合水栓装置について行う場合には、操作が煩雑になるという問題がある。
【０００５】
つぎに、図１９を参照して、従来の温度調節機能付きの湯水混合水栓装置における水抜きについて説明する。
図１９は、従来の温度調節機能付きの湯水混合水栓装置を示す概略図である。
図１９に示すように、従来の湯水混合水栓装置５００は、水栓本体５０２と、この水栓本体５０２に給湯器（図示せず）からの湯を供給する湯供給脚５０４と、水栓本体５０２に水道水を供給する水供給脚５０６を備えている。水栓本体５０２には、その左端部に取り付けられた湯温調節用ダイヤル５０８と、右端部に取り付けられた吐止水切替ハンドル５１０が設けられている。
また、水栓本体５０２の下流側には、温度調節された湯水を吐出させるカラン５１２及びシャワーヘッド５１４がそれぞれ設けられている。
さらに、水栓本体５０２には、カラン５１２からの吐水及び止水、並びに、シャワーヘッド５１４からの吐水及び止水を切り替え可能な切替ユニット５１６が内蔵されており、湯供給脚５０４及び水供給脚５０６のそれぞれから水栓本体５０２に供給された湯及び水は、水栓本体５０２内の通湯路５０２ａ及び通水路５０２ｂのそれぞれを通過し、温度調節部５１８で湯温調節用ダイヤル５０８によって設定された温度になるように混合され、吐止水切替ハンドル５１０が操作されることにより、カラン５１２から吐水されるか、シャワーヘッド５１４から吐水されるか、或いは双方からの吐水が停止されるように切り替えられるようになっている。したがって、湯水混合水栓装置５００においては、止水状態であっても温度調節部５１８内に水が充満し、温度調節部５１８内には湯及び水の供給圧力が作用している。
【０００６】
さらに、温度調節部５１８の上流側の、通湯路５０２ａ及び通水路５０２ｂのそれぞれには、逆流防止弁５２０ａ，５２０ｂがそれぞれ設けられている。すなわち、通湯路５０２ａ及び通水路５０２ｂは、止水状態においても、温度調節部５１８を介して連通しているため、給湯圧力と給水圧力に差がある場合、供給圧力の高い側から低い側へ逆流が発生する恐れがあるため、逆流防止弁５２０ａ，５２０ｂを設けることにより、温度調節部５１８から通湯路５０２ａ及び通水路５０２ｂへの湯水の逆流を防止している。
また、寒冷地において、このような従来の湯水混合水栓装置５００について水抜きを行う場合、各逆流防止弁５２０ａ，５２０ｂの上流側の湯供給脚５０４及び水供給脚５０６のそれぞれに設けられた水抜き用のコック５２２ａ，５２２ｂを水抜き側に操作して開放し、各水抜き用のコック５２２ａ，５２２ｂから外気が取り込まれ、各逆流防止弁５２０ａ，５２０ｂの上流側に滞留している湯及び水のそれぞれが排出されるようになっている。
【先行技術文献】
【特許文献】
【０００７】
【特許文献１】実開平４−１０８６５６号公報
【特許文献２】特開２００４−５２２８８号公報
【特許文献３】特開２００３−９６８３５号公報
【発明の概要】
【発明が解決しようとする課題】
【０００８】
しかしながら、従来の湯水混合水栓装置５００においては、各逆流防止弁５２０ａ，５２０ｂの下流側から、温度調節部５１８内、及び切替ユニット５１６内に滞留している湯水は、逆流防止弁５２０ａ，５２０ｂに阻止され、排出されることがないため、逆流防止弁５２０ａ，５２０ｂの下流側の通湯路５０２ａ又は通水路５０２ｂのいずれかの箇所に水抜き用のコック５２４が設けられている。
したがって、従来の湯水混合水栓装置５００について水抜きを行う場合には、湯供給脚５０４及び水供給脚５０６のそれぞれの水抜き用のコック５２２ａ，５２２ｂを水抜き側に操作して開放すると同時に、切替ユニット５１６の開閉弁５１６ａが開弁するように吐止水切替ハンドル５１０を操作して、カラン５１２又はシャワーヘッド５１４と連通させた状態で、湯温調節用ダイヤル５０８を回転操作し、各逆流防止弁５２０ａ，５２０ｂの下流側や温度調節部５１８内等に滞留している湯水を排出するという追加の作業が必要になるため、水抜き操作が煩雑になるという問題がある。
また、各水抜き用のコック５２２ａ，５２２ｂ，５２４や吐止水切替ハンドル５１０のいずれかの操作を忘れた場合には、水栓本体内に滞留している水が凍結して、温度調節部５１８等を損傷する恐れがあるという問題もある。
【０００９】
そこで、本発明は、上述した従来技術の問題を解決するためになされたものであり、煩雑な操作を要することなく、簡単に水抜きをすることができる湯水混合水栓装置を提供することを目的としている。
【課題を解決するための手段】
【００１０】
上述した課題を解決するために、本発明は、給湯源から供給される湯と給水源から供給される水とを混合した湯水を吐止水する湯水混合水栓装置であって、給湯源から供給された湯と給水源から供給された水とが混合される湯水混合部を備えた水栓本体と、上記水栓本体に設けられ、上記水栓本体の上流側の水圧により開閉し、上記給水源から上記水栓本体への給水が停止される水抜き操作により開いた状態となり、上記水栓本体に対して吸気及び排水を行う吸気排水弁と、を有し、上記吸気排水弁は、上記水抜き操作により開弁し、上記湯水混合部の上流側の湯及び水のそれぞれの流路に対して吸気が自動的に行われ、且つ、上記湯水混合部の下流側の湯水の流路に対して吸気又は排水が自動的に行われるように構成されている単一の吸気排水弁であることを特徴としている。
このように構成された本発明においては、水抜き操作により給水源から水栓本体への給水が停止され、水栓本体の上流側の水圧が低下することにより、吸気排水弁が開いた状態となり、水栓本体の湯水混合部の上流側の湯及び水のそれぞれの流路に対して吸気を自動的に行うことができると共に、湯水混合部の下流側の湯水の流路に対して吸気又は排水を自動的に行うことができるため、湯水混合水栓装置自体に触れたり、煩雑な操作を要することなく、簡単に水栓本体内に対して水抜きをすることができる。また、１回の水抜き操作で吸気排水弁を開弁させることにより、水栓本体に対して吸気及び排水を同時に行うことができるため、効率よく且つ確実に水栓本体内の水抜きを行うことができる。
さらに、吸気排水弁が単一の吸気排水弁であるため、水抜き操作により給水源から水栓本体への給水が停止されると、単一の吸気排水弁が自動的に開弁し、水栓本体に対して自動的に吸気及び排水が可能になる。これにより、簡易な単一の吸気排水弁の構造で、煩雑な操作を要することなく、簡単に水抜きをすることができる。
【００１２】
本発明において、好ましくは、更に、上記給水源から上記水栓本体に給水された水が流入する圧力室を有し、上記吸気排水弁は、上記圧力室内に設けられて上記圧力室内の水圧が作用する弁体を備え、この弁体及び上記水栓本体の上記弁体近傍には、上記弁体を介して上記圧力室と上記水栓本体の外部とを連通させる連通部が設けられ、この連通部は、上記水抜き操作により上記給水源から上記水栓本体への給水が停止されることにより上記圧力室内の水圧が低下して上記弁体が開弁したときに、上記連通部から上記圧力室内に吸気がなされ、上記圧力室内の水を上記連通部を介して上記水栓本体の外部に排出するように構成されている。
このように構成された本発明においては、給水源から水栓本体に給水された水が流入する圧力室を有しており、吸気排水弁が、この圧力室内に設けられて圧力室内の水圧が作用する弁体を備え、この弁体及び水栓本体の弁体近傍には、弁体を介して圧力室と水栓本体の外部とを連通させる連通部が設けられており、水抜き操作により給水源から水栓本体への給水が停止されることにより圧力室内の水圧が低下して弁体が開弁したときに、連通部から圧力室内に吸気を行うことにより、圧力室内の水を連通部を介して水栓本体の外部に排出することができる。したがって、圧力室内に水が残されて凍結してしまうことを防ぐことができる。
【００１３】
本発明において、好ましくは、上記弁体は、上記圧力室内に水圧により開閉するダイヤフラム式の弁体である。
このように構成された本発明においては、吸気排水弁の弁体が、圧力室内に水圧により開閉するダイヤフラム式の弁体であるため、圧力室内の水圧により滑らかに開閉移動させることができ、吸気排水弁の開閉性能を向上させることができる。
【００１４】
本発明において、好ましくは、上記連通部は、上記弁体に形成されて上記給水源から上記水栓本体に給水された水を上記圧力室内に通過させる連通穴を含み、上記弁体は、上記連通穴を通過して上記圧力室内に流入した水の圧力により開閉する。
このように構成された本発明においては、給水源から水栓本体に給水された水は、弁体に形成された連通部の連通穴を通過して圧力室内に流入することができ、この圧力室に流入した水の圧力により、弁体が閉弁する方向に容易に移動することができる。一方、水抜き操作により、給水源から水栓本体への給水が停止されると、水栓本体の上流側の水圧が低下することにより、弁体の連通穴を通過して圧力室内に流入する水の圧力が低下するため、弁体が開弁する方向に容易に移動することができる。したがって、圧力室内に水を供給するための連通穴を弁体に設けた簡易な構造で、煩雑な操作を要することなく、簡単に水抜きをすることができる。
【００１５】
本発明において、好ましくは、更に、上記吸気排水弁に設けられて且つこの吸気排水弁を手動で操作可能な手動操作部を有する。
このように構成された本発明においては、吸気排水弁を手動で操作可能な手動操作部を有するため、水抜き操作により、給水源から水栓本体への給水が停止されて吸気排水弁を開弁させようとした際に、万一、吸気排水弁が閉弁したままの状態になっていても、手動操作部を手動で操作して吸気排水弁を強制的に開弁させることができるため、確実に水抜きをすることができる。
【００１６】
本発明において、好ましくは、更に、上記湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有し、この温度調節機能部は、上記湯流入部及び上記水流入部から上記湯水流出部に向かって下方に傾斜するように上記水栓本体内に傾斜して配置されている。
このように構成された本発明においては、湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有しており、この温度調節機能部が、湯流入部及び水流入部から湯水流出部に向かって下方に傾斜するように水栓本体内に傾斜して配置されているため、水抜き操作により、給水源から水栓本体への給水が停止された際に、温度調節機能部内の残水を排出しやすくすることができる。したがって、温度調節機能部内に水が残されて凍結してしまうことを防ぐことができ、凍結による温度調節機能部の破損を防ぐことができる。
【００１７】
本発明において、好ましくは、更に、上記湯水混合部で混合された湯水を吐出させるシャワーヘッドが先端部に設けられたシャワーホース部と、このシャワーホース部と上記水栓本体とを接続するシャワーホース接続部と、を有し、このシャワーホース接続部は、上記吸気排水弁により開閉される排水部の最低位置よりも上方に位置している。
このように構成された本発明においては、湯水混合部で混合された湯水を吐出させるシャワーヘッドが先端部に設けられたシャワーホース部と、このシャワーホース部と水栓本体とを接続するシャワーホース接続部を有しており、このシャワーホース接続部が吸気排水弁により開閉される排水部の最低位置よりも上方に位置しているため、水抜き操作により、給水源から水栓本体への給水が停止された際に、シャワーホース部内からシャワーホース接続部内に流れ込んだ残水を吸気排水弁により開放される排水部から確実に排水することができ、シャワーホース接続部内に水が残されて凍結してしまうことを防ぐことができる。
【００１８】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路に設けられて湯の逆流を防止する湯用逆流防止弁と、上記通水路に設けられて水の逆流を防止する水用逆流防止弁と、上記湯用逆流防止弁及び上記水用逆流防止弁よりも下流側に設けられて、上記通湯路から供給された湯の量と上記通水路から供給された水の量を調節して混合することにより湯水の温度調節を行う温度調節機能部と、を備えた水栓本体と、上記水栓本体の下流側に設けられ、上記温度調節機能部で混合された湯水を吐出させるカラン吐水部と、上記水栓本体の下流側に設けられ、上記温度調節機能部で混合された湯水を吐出させるシャワー吐水部と、上記水栓本体の上記温度調節機能部の下流側に設けられ、上記カラン吐水部及び上記シャワー吐水部のそれぞれに湯水を供給する湯水混合路を開閉する開閉弁を備え、上記カラン吐水部からの吐水及び止水、並びに、上記シャワー吐水部からの吐水及び止水を切り替え可能な切替部と、上記水栓本体に設けられ、上記給水源から上記水栓本体への給水が停止される水抜き操作により外気を吸入可能な吸気部と、上記水栓本体に設けられ、上記水抜き操作により上記水栓本体内の残水を排水可能な排水部と、上記水栓本体の上流側の水圧により開閉し、上記水抜き操作により開いた状態となり、上記吸気部による吸気を可能にすると共に、上記排水部による排水を可能にする吸気排水弁と、を有し、上記吸気部は、上記水用逆流防止弁よりも上流側の上記通水路である第１の流路に設けられた第１の吸気部と、上記湯用逆流防止弁よりも上流側の上記通湯路である第２の流路に設けられた第２の吸気部と、上記水用逆流防止弁及び上記湯用逆流防止弁のそれぞれから上記開閉弁までの第３の流路に設けられた第３の吸気部と、上記開閉弁から上記カラン吐水部までの第４の流路に設けられた第４の吸気部と、上記開閉弁から上記シャワー吐水部までの第５の流路に設けられた第５の吸気部と、を備え、上記排水部は、上記第３の流路に設けられた第１の排水部と、上記第５の流路に設けられた第２の排水部と、を備えていることを特徴としている。
このように構成された本発明においては、給水源から水栓本体への給水が停止される水抜き操作を行うと、吸気排水弁を開閉させる水圧が低下し、吸気排水弁が閉弁した状態から吸気部及び排水部を自動的に開放する。そして、水用逆流防止弁よりも上流側の通水路である第１の流路に第１の吸気部から吸気されることにより、この第１の流路内の水が通水路の上流側へ排水される。これと同時に、湯用逆流防止弁よりも上流側の通湯路である第２の流路に第２の吸気部から吸気されることにより、この第２の流路内の湯が通湯路の上流側へ排水される。また、これらと同時に、水用逆流防止弁及び湯用逆流防止弁のそれぞれから開閉弁までの第３の流路に第３の吸気部から吸気されることにより、この第３の流路内の湯と水が第１の排水部から水栓本体の外部に排水される。さらに、これらと同時に、開閉弁からカラン吐水部までの第４の流路に第４の吸気部から吸気されることにより、第４の流路内の湯水がカラン吐水部から水栓本体の外部に排水される。さらに、これらと同時に、開閉弁からシャワー吐水部までの第５の流路に第５の吸気部から吸気されることにより、第５の流路内の湯水が第２の排水部から水栓本体の外部に排水される。すなわち、水抜き操作により給水源から水栓本体への給水が停止され、水栓本体の上流側の水圧が低下することにより、吸気排水弁が開いた状態となり、水栓本体に対して吸気及び排水を自動的に行うことができる。したがって、湯水混合水栓装置自体に触れたり、煩雑な操作を要することなく、簡単に水栓本体内に対して水抜きをすることができる。また、１回の水抜き操作で吸気排水弁が開弁することにより、水栓本体に対して吸気及び排水が同時に行われるため、効率よく且つ確実に水栓本体内の水抜きを行うことができる。
【００１９】
本発明において、好ましくは、上記第３の流路は、上記水用逆流防止弁から上記温度調節機能部までの第６の流路と、上記湯用逆流防止弁から上記温度調節機能部までの第７の流路と、上記温度調節機能部から上記開閉弁までの第８の流路と、を備え、上記第３の吸気部は、上記第６の流路に設けられた第６の吸気部と、上記第７の流路に設けられた第７の吸気部と、備え、上記第１の排水部は、上記第６の流路に設けられた第３の排水部と、上記第７の流路に設けられた第４の排水部と、上記第８の流路に設けられた第５の排水部と、を備えている。
このように構成された本発明においては、給水源から水栓本体への給水が停止される水抜き操作を行うと、吸気排水弁を開閉させる水圧が低下し、吸気排水弁が閉弁した状態から吸気部及び排水部を自動的に開放したときに、さらに、水用逆流防止弁から温度調節機能部までの第６の流路に第６の吸気部から吸気されることにより、この第６の流路内の水が第３の排水部から排水される。これと同時に、湯用逆流防止弁から温度調節機能部までの第７の流路に第７の吸気部から吸気されることにより、この第７の流路内の湯が第４の排水部から排水される。また、これらと同時に、温度調節機能部から上記開閉弁までの第８の流路に第８の吸気部から吸気されることにより、この第８の流路内の湯及び水が第５の排水部から排水される。したがって、さらに効率よく且つ確実に水栓本体内の水抜きを行うことができる。
【００２０】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、上記水栓本体の下流側に設けられ、上記湯水混合路を通過した湯水を吐出させる吐水部と、上記水栓本体に設けられ、上記通湯路、上記通水路及び上記湯水混合路を開閉することにより上記吐水部からの吐水及び止水を切り替え可能である共に、上記通湯路及び上記通水路のそれぞれから上記湯水混合部に流入する湯及び水のそれぞれの量を調節する開閉弁と、上記水栓本体に設けられ、上記湯水混合部よりも上流側の上記通水路及び上記通湯路のそれぞれと上記湯水混合部よりも下流側の上記湯水混合路とを連通させる連通部と、この連通部に形成された圧力室内に設けられ、上記水栓本体の上流側から上記圧力室内に流入する水圧により上記連通部を開閉し、上記給水源から上記水栓本体への給水が停止される水抜き操作により上記連通部が開放された状態となり、上記水栓本体内に対して吸気及び排水を行う吸気排水弁と、を有し、上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水栓本体における上記吸気排水弁の近傍には、上記第３の連通部から排水された湯水を上記水栓本体の外部に排水する排水部が上記吸気排水弁により開閉可能に設けられ、上記第３の連通部及び上記排水部は、上記水抜き操作により上記通水路から上記連通部の圧力室内に流入する水の圧力が低下して上記吸気排水弁が開弁すると、上記吐水部から上記湯水混合路を経て上記第３の連通部に吸気され、上記湯水混合路内の湯水が上記第３の連通部を経て上記排水部から上記水栓本体の外部に排水されるように構成されていることを特徴としている。
このように構成された本発明においては、湯水混合部よりも上流側の通水路及び通湯路のそれぞれと湯水混合部よりも下流側の湯水混合路とを連通させる連通部に形成された圧力室内に設けられた吸気排水弁が、水栓本体の上流側から圧力室内に流入する水圧により連通部を開閉し、給水源から水栓本体への給水が停止される水抜き操作により、通水路から連通部の圧力室内に流入する水の圧力が低下すると、吸気排水弁が開弁して連通部が開放された状態となる。これにより、吐水部から湯水混合路に吸気され、湯水混合路から第３の連通部を経て排水部に吸気され、湯水混合路内の湯水が第３の連通部を経て排水部から水栓本体の外部に排水されるため、水栓本体内に対して吸気及び排水を自動的に行うことができる。したがって、湯水混合水栓装置自体に触れたり、煩雑な操作を要することなく、簡単に水栓本体内に対して水抜きをすることができる。また、１回の水抜き操作で吸気排水弁が開弁することにより、水栓本体に対して吸気及び排水が同時に行われるため、効率よく水栓本体内の水抜きを行うことができる。
【００２１】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、上記水栓本体の下流側に設けられ、上記湯水混合路を通過した湯水を吐出させる吐水部と、上記水栓本体に設けられ、上記通湯路、上記通水路及び上記湯水混合路を開閉することにより上記吐水部からの吐水及び止水を切り替え可能である共に、上記通湯路及び上記通水路のそれぞれから上記湯水混合部に流入する湯及び水のそれぞれの量を調節する開閉弁と、上記水栓本体に設けられ、上記湯水混合部よりも上流側の上記通水路及び上記通湯路のそれぞれと上記湯水混合部よりも下流側の上記湯水混合路とを連通させる連通部と、この連通部に形成された圧力室内に設けられ、上記水栓本体の上流側から上記圧力室内に流入する水圧により上記連通部を開閉し、上記給水源から上記水栓本体への給水が停止される水抜き操作により上記連通部が開放された状態となり、上記水栓本体内に対して吸気及び排水を行う吸気排水弁と、を有し、上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水抜き操作により上記通水路から上記連通部の圧力室内に流入する水の圧力が低下して上記吸気排水弁が開弁すると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記第１の連通部及び上記第２の連通部のそれぞれから上記通水路及び上記通湯路のそれぞれに排水されるように構成されていることを特徴としている。
このように構成された本発明においては、湯水混合部よりも上流側の通水路及び通湯路のそれぞれと湯水混合部よりも下流側の湯水混合路とを連通させる連通部に形成された圧力室内に設けられた吸気排水弁が、水栓本体の上流側から圧力室内に流入する水圧により連通部を開閉し、給水源から水栓本体への給水が停止される水抜き操作により、通水路から連通部の圧力室内に流入する水の圧力が低下すると、吸気排水弁が開弁して連通部が開放された状態となる。これにより、吐水部から湯水混合路に吸気され、湯水混合路から第３の連通部を経て第１の連通部及び第２の連通部のそれぞれに吸気され、湯水混合路内の湯水が第３の連通部を経て第１の連通部及び第２の連通部のそれぞれから通水路及び通湯路のそれぞれに排水されるため、水栓本体内に対して吸気及び排水を自動的に行うことができる。したがって、湯水混合水栓装置自体に触れたり、煩雑な操作を要することなく、簡単に水栓本体内に対して水抜きをすることができる。また、１回の水抜き操作で吸気排水弁が開弁することにより、水栓本体に対して吸気及び排水が同時に行われるため、効率よく且つ確実に水栓本体内の水抜きを行うことができる。
【００２２】
本発明において、好ましくは、更に、上記水栓本体における上記吸気排水弁の近傍に上記吸気排水弁により開閉可能に設けられて、上記第３の連通部から排水された湯水を上記水栓本体の外部に排水する排水部を有する。
このように構成された本発明においては、水抜き操作を行い、吸気排水弁が開弁した際に、水栓本体における吸気排水弁の近傍に吸気排水弁により開閉可能に設けられた排水部によって、第３の連通部から排水された湯水を水栓本体の外部に排水することもできるため、より効率よく且つ確実に水栓本体内の水抜きを行うことができる。
【発明の効果】
【００２３】
本発明の湯水混合水栓装置によれば、煩雑な操作を要することなく、簡単に水抜きをすることができる。
【図面の簡単な説明】
【００２４】
【図１】本発明の第１実施形態による湯水混合水栓装置を示す概略図である。
【図２】本発明の第１実施形態による湯水混合水栓装置を斜め上方且つ前方から見た斜視図である。
【図３】図２のＩＩＩ−ＩＩＩ線に沿った斜視断面図である。
【図４】図２のＩＶ−ＩＶ線に沿った斜視断面図である。
【図５】図２のＶ−Ｖ線に沿った断面図である。
【図６】図２のＶＩ−ＶＩ線に沿った斜視断面図である。
【図７】本発明の第１実施形態による湯水混合水栓装置の水栓本体及び吸気排水弁ユニットの分解斜視図である。
【図８】図７のＶＩＩＩ−ＶＩＩＩ線に沿った断面図であり、本発明の第１実施形態による湯水混合水栓装置の閉弁状態の吸気排水弁ユニットを部分的に拡大して示す部分拡大断面図である。
【図９】図７のＶＩＩＩ−ＶＩＩＩ線に沿った断面図であり、本発明の第１実施形態による湯水混合水栓装置の開弁状態の吸気排水弁ユニットを部分的に拡大して示す部分拡大断面図である。
【図１０】本発明の第２実施形態による湯水混合水栓装置を斜め後方から見た斜視図である。
【図１１】図１０のＸＩ−ＸＩ線に沿った断面図であり、本発明の第２実施形態による湯水混合水栓装置における通湯路及び通水路の正面断面を含む正面断面図である。
【図１２】図１１のＸＩＩ−ＸＩＩ線に沿った断面図であり、本発明の第２実施形態による湯水混合水栓装置における通水路の右側側面断面を含む側面断面図である。
【図１３】図１１のＸＩＩＩ−ＸＩＩＩ線に沿った断面図であり、本発明の第２実施形態による湯水混合水栓装置における中央側面断面図である。
【図１４】図１１のＸＩＶ−ＸＩＶ線に沿った断面図であり、本発明の第２実施形態による湯水混合水栓装置におけるバルブユニットの平面断面を含む平面断面図である。
【図１５】本発明の第２実施形態による湯水混合水栓装置の吸気排水弁ユニットの分解斜視図である。
【図１６】図１２に示す本発明の第２実施形態による湯水混合水栓装置の吸気排水弁ユニットを部分的に拡大して示す部分拡大断面図である。
【図１７】図１３に示す本発明の第２実施形態による湯水混合水栓装置の吸気排水弁ユニットを部分的に拡大して示す部分拡大断面図である。
【図１８】本発明の第３実施形態による湯水混合水栓装置における通水路の右側側面断面に沿った側面断面図である。
【図１９】従来の温度調節機能付きの湯水混合水栓装置を示す概略図である。
【発明を実施するための形態】
【００２５】
つぎに、添付図面を参照して、本発明の好ましい実施形態について説明する。
まず、図１〜図９を参照して、本発明の第１実施形態による湯水混合水栓装置について説明する。
図１は、本発明の第１実施形態による湯水混合水栓装置を示す概略図であり、図２は、本発明の第１実施形態による湯水混合水栓装置を示す斜視図である。また、図３は、図２のＩＩＩ−ＩＩＩ線に沿った斜視断面図であり、図４は、図２のＩＶ−ＩＶ線に沿った斜視断面図である。さらに、図５は、図２のＶ−Ｖ線に沿った断面図であり、図６は、図２のＶＩ−ＶＩ線に沿った斜視断面図である。
【００２６】
まず、図１及び図２に示すように、本発明の第１実施形態による湯水混合水栓装置１は、水栓本体２を備えており、この水栓本体２の背面側には、給湯源である給湯器（図示せず）からの湯を供給する湯供給脚４と、水栓本体２に上水道等の給水源（図示せず）からの水道水を供給する水供給脚６がそれぞれ設けられている。
また、湯供給脚４は、壁面に設けられた給湯管（図示せず）と水栓本体２とを連結し、水栓本体２に湯を供給するようになっている。
さらに、水供給脚６は、壁面に設けられた水道管（図示せず）と水栓本体２とを連結し、水栓本体２に水を供給するようになっている。また、この水供給脚６の上流側の流路には、寒冷地等において湯水混合水栓装置１に対して水抜きを行う際に操作される水抜き栓（図示せず）が設けられている。
【００２７】
つぎに、図１に示すように、水栓本体２内には、湯供給脚４から供給された湯が通過する通湯路８と、水供給脚６から供給された水が通過する通水路１０がそれぞれ形成されている。
また、図１〜図４及び図６に示すように、通湯路８及び通水路１０のそれぞれには、湯用逆流防止弁１２及び水用逆流防止弁１４のそれぞれが設けられており、湯用逆流防止弁１２により湯用逆流防止弁１２の下流側の湯が湯供給脚４側に逆流することを防ぐと共に、水用逆流防止弁１４により水用逆流防止弁１４の下流側の水が水供給脚６側に逆流することを防ぐことができるようになっている。
【００２８】
つぎに、図１〜図３及び図５に示すように、水栓本体２内の通湯路８及び通水路１０の下流側には、通湯路８から供給された湯の量と通水路１０から供給された水の量を調節して混合する湯水混合部であり且つ混合した湯水の温度調節を行う温度調節機能部であるサーモユニット１６が設けられている。
また、図１及び図２に示すように、水栓本体２の下流側には、サーモユニット１６により温度調節された湯水を吐出させるカラン１８及びシャワーヘッド２０がそれぞれ設けられている。
【００２９】
さらに、図１〜図３及び図５に示すように、水栓本体２内のサーモユニット１６の下流側には、カラン１８からの吐水及び止水、並びに、シャワーヘッド２０からの吐水及び止水を切り替え可能な切替部である切替ユニット２２が設けられている。この切替ユニット２２は、サーモユニット１６で混合されて温度調節された湯水が通過する湯水混合路２４を開閉する開閉弁である切替バルブ２６を備えており、この切替バルブ２６の開閉により、カラン１８からの吐水及び止水、並びに、シャワーヘッド２０からの吐水及び止水が切り替えられるようになっている。
また、図１〜図５に示すように、水栓本体２の正面側から見てサーモユニット１６の左端部には、取り付けられた湯温調節用ダイヤル２８が設けられており、水栓本体２の正面側から見て切替ユニット２２の右端部には、吐止水切替ハンドル３０が設けられている。
【００３０】
湯温調節用ダイヤル２８は、これを廻すことによって水栓本体２に内蔵されたサーモユニット１６を操作し、このサーモユニット１６によって調節される湯の温度を変化させることができるようになっている。
吐止水切替ハンドル３０は、これを回転操作することによって、切替ユニット２２に内蔵された切替バルブ２６を切り替え、止水状態、カラン１８からの吐水状態、シャワーヘッド２０からの吐水状態が切り替えられるようになっている。
また、吐止水切替ハンドル３０をカランの側に回転させると、サーモユニット１６によって適温に混合された湯水がカラン１８から吐水され、吐止水切替ハンドル３０をシャワーの側に回転させると、適温に混合された湯水が、シャワーヘッド２０から吐水されるようになっている。
【００３１】
さらに、図１〜図３に示すように、水栓本体２の背面側には、水供給脚６の上流側の水圧により開閉する吸気排水弁本体３２を備えた吸気排水弁ユニット３４（詳細は後述する）が設けられている。水供給脚６の上流側の水抜き栓（図示せず）が水抜き側に操作されると、給水源（図示せず）から水栓本体２への給水が停止され、水供給脚６の上流側の流路内の水圧が低下することにより負圧が発生し、吸気排水弁ユニット３４の吸気排水弁本体３２が開弁するようになっている。これにより、吸気排水弁ユニット３４により開放される吸気部Ｉ（詳細は後述する）から水栓本体内の複数の流路に対して外気が自動的に吸気されると共に、この水栓本体２内の複数の流路内の湯及び／又は水が、吸気排水弁ユニット３４により開放される排水部Ｏ（詳細は後述する）から水栓本体２の外部に自動的に排水されるようになっている。
【００３２】
つぎに、図１〜図９を参照して、本実施形態の湯水混合水栓装置における吸気排水弁ユニット、吸気排水弁ユニットにより吸気される吸気部、及び、吸気排水弁ユニットにより排水される排水部の詳細について説明する。
図７は、本発明の第１実施形態による湯水混合水栓装置の水栓本体及び吸気排水弁ユニットの分解斜視図であり、図８は、図７のＶＩＩＩ−ＶＩＩＩ線に沿った断面図であり、本発明の第１実施形態による湯水混合水栓装置の開弁状態の吸気排水弁ユニットを部分的に拡大して示す部分拡大断面図であり、図９は、図７のＶＩＩＩ−ＶＩＩＩ線に沿った断面図であり、本発明の第１実施形態による湯水混合水栓装置の開弁状態の吸気排水弁ユニットを部分的に拡大して示す部分拡大断面図である。
【００３３】
まず、図７に示すように、吸気排水弁ユニット３４の吸気排水弁本体３２は、水栓本体２の背面側に設けられた吸気排水弁ユニット取付部Ａに形成される、吸気部Ｉの常時開口する連通口３６以外の５つの連通口（吸気口）３８，４０，４２，４４，４６及び４つの連通口（排水口）４８，５０，５２，５４に対して同時に開閉する単一のダイヤフラム式の弁体５６を備えている。
また、図７に示すように、吸気排水弁ユニット３４は、水栓本体２の背面の吸気部Ｉの連通口（吸気口）３６，３８，４０，４２，４４，４６及び排水部Ｏの連通口（排水口）４８，５０，５２，５４の中心のばね取付穴５８に取り付けられるコイルばね６０を備え、このコイルばね６０が弁体５６を前方側から後方側に向かって弁体５６を付勢するようになっている。
さらに、図７〜図９に示すように、吸気排水弁ユニット３４は、弁体５６の背面側に取り付けられて弁体５６を保持する保持部材６２を備えている。この保持部材６２は、これと対向する水栓本体２の背面にボルト６４によって固定され、保持部材６２の前方側には、弁体５６が収容される弁室６６（図９参照）が形成されている。この弁室６６は、弁体５６の後方側に形成されて弁体５６に背面側から水圧を作用させる圧力室（背圧室）６６ａと、この弁体５６の前方側に形成されて且つ弁体５６が開弁している状態で吸気部Ｉの各連通口（吸気口）３６，３８，４０，４２，４４，４６及び排水部Ｏの各連通口（排水口）４８，５０，５２，５４と連通する連通室６６ｂから構成されている。
【００３４】
つぎに、図１、図３、図４及び図６〜図９に示すように、水栓本体２内には、水用逆流防止弁１４よりも上流側の通水路１０ａと水栓本体２の背面の連通口３６とを連通させる連通路６８が設けられている。
また、図７〜図９に示すように、弁体５６には、水栓本体２の連通路６８と圧力室６６ａ及び連通室６６ｂとを連通させる第１の連通穴７０が前後方向に貫くように形成されており、水供給脚６から水栓本体２の水用逆流防止弁１４よりも上流側の通水路１０ａに供給された水の一部は、連通路６８を通過し、連通室６６ｂ及び弁体５６の第１の連通穴７０を経て圧力室（背圧室）６６ａに流入するようになっている。そして、圧力室（背圧室）６６ａ内の水圧が、弁体５６を背面側から押圧し、その押圧力がコイルばね６０の付勢力を上回ることにより弁体５６が閉弁し、水栓本体２の背面の吸気部Ｉの各連通口（吸気口）３８，４０，４２，４４，４６及び排水部Ｏの各連通口（排水口）４８，５０，５２，５４が同時に閉鎖されるようになっている。
【００３５】
つぎに、図７に示すように、弁体５６には、前後方向に貫いて第１の連通穴７０よりも小さい穴径を有する第２の連通穴７２が形成されており、この第２の連通穴７２は、弁体５６が閉弁している状態では、閉鎖されている。
また、図４及び図７〜図９に示すように、水栓本体２の吸気排水弁ユニット取付部Ａにおける弁体５６の上側近傍には、保持部材６２を前後方向に貫く通気穴６２ａと連通する連通路（吸気路）７４が形成されており、この連通路（吸気路）７４及び保持部材６２の通気穴６２ａを介して、連通室６６ｂと水栓本体２の外部とが連通するようになっている。
さらに、弁体５６の下側近傍には、連通室６６ｂと水栓本体２の外部とを連通させる３つの連通路（排水路）７６，７８，８０が形成されている。
【００３６】
また、水供給脚６の上流側の水抜き栓（図示せず）が水抜き側に操作されると、給水源（図示せず）からの給水が停止され、水供給脚６の上流側の流路内の水圧が低下し、大気圧以下となることにより負圧が発生し、この負圧によって、水栓本体２の水用逆流防止弁１４よりも上流側の通水路１０ａ内の水が水供給脚６内を通じて水供給脚６の上流側へ排出されるようになっている。したがって、水栓本体２の上流側の流路内の圧力が大気圧以下になるため、連通路６８を通じて圧力室６６ａ内に水が供給されなくなり、圧力室６６ａ内の圧力が低下する。これにより、弁体５６を背面側から押す力がなくなり、コイルばね６０の付勢力によって、弁体５６は、図８に示す閉弁状態から開弁する方向（図８の左側方向）に移動し、図９に示すように開弁し、水栓本体２の背面の吸気部Ｉの連通口（吸気口）３６，３８，４０，４２，４４，４６及び排水部Ｏの各連通口（排水口）４８，５０，５２，５４が同時に開放されるようになっている。
なお、この際に弁体５６がコイルばね６０の付勢力によって完全に開弁されるため、圧力室６６ａが最小化され、圧力室６６ａ内の水をより確実に排出することが可能となる。
【００３７】
さらに、図７に示すように、吸気排水弁ユニット３４は、吸気排水弁本体３２の弁体５６の中央部に固定して設けられて保持部材６２を介して背面側に突出する手動操作用のつまみ部材８１を備えており、この手動操作用のつまみ部材８１は、保持部材６２に対して弁体５６と共に前後方向に摺動可能となっている。
また、水供給脚６の上流側の水抜き栓（図示せず）が水抜き側に操作され、水栓本体２への給水が停止されて吸気排水弁本体３２の弁体５６を開弁させようとした際に、万一、吸気排水弁本体３２の弁体５６が固着して閉弁したままの状態になっていても、手動操作用のつまみ部材８１を背面側に引っ張るように手動で操作することにより、吸気排水弁本体３２の弁体５６を強制的に開弁させることができるため、確実に水抜きをすることができるようになっている。
【００３８】
なお、本実施形態では、吸気排水弁ユニット３４の吸気排水弁本体３２の弁体５６については、単一のダイヤフラム式の弁体５６を採用し、この単一のダイヤフラム式の弁体５６が吸気部Ｉの各連通口（吸気口）３６，３８，４０，４２，４４，４６及び排水部Ｏの各連通口（排水口）４８，５０，５２，５４を同時に開閉するような形態について説明するが、このような形態に限られず、他の形態の弁体についても適用可能である。例えば、弁体として、ダイヤフラム式の弁体以外にも、前後方向に摺動するピストン式の弁体を採用してもよいし、複数の弁体によって吸気部Ｉの連通口（吸気口）３６，３８，４０，４２，４４，４６及び排水部Ｏの各連通口（排水口）４８，５０，５２，５４を同時に開閉するようにしてよい。
【００３９】
つぎに、図１〜図９を参照して、吸気排水弁ユニット３４により吸気される吸気部Ｉ、及び吸気排水弁ユニット３４により排水される排水部Ｏの詳細について説明する。
まず、図１、図３、図４及び図６〜図９に示すように、吸気部Ｉの連通口３６は、水栓本体２内の水用逆流防止弁１４よりも上流側の通水路１０ａと連通路６８を介して連通している。
また、この連通路６８は、弁体５６が閉弁している状態では、水用逆流防止弁１４よりも上流側の通水路１０ａから供給された水が通過する通水路となっている。
さらに、水供給脚６の上流側の水抜き栓（図示せず）が水抜き側に操作され、吸気排水弁ユニット３４の弁体５６が開弁すると、連通口３６が第１の吸気口３６となり、この第１の吸気口３６から連通路（吸気路）６８を介して水用逆流防止弁１４よりも上流側の通水路１０ａに吸気され、この水用逆流防止弁１４よりも上流側の通水路１０ａ及び水供給脚６内の水が水供給脚６の上流側へ排水されるようになっている。
【００４０】
つぎに、図１、図３、図４及び図７に示すように、吸気部Ｉの第２の吸気口３８は、水栓本体２内の湯用逆流防止弁１２よりも上流側の通湯路８ａと連通路（吸気路）８２を介して連通している。
水抜き操作により吸気排水弁ユニット３４の弁体５６が開弁すると、第２の吸気口３８から連通路（吸気路）８２を介して湯用逆流防止弁１２よりも上流側の通湯路８ａに吸気され、この湯用逆流防止弁１２よりも上流側の通湯路８ａ及び湯供給脚４内の湯が湯供給脚４の上流側へ排水されるようになっている。
【００４１】
つぎに、図１、図３、図４、図６及び図７に示すように、吸気部Ｉの第３の吸気口４０は、水栓本体２内の水用逆流防止弁１４からサーモユニット１６までの通水路１０ｂと連通路（吸気路）８４を介して連通している。
一方、排水部Ｏの第１の排水口４８は、水栓本体２内の水用逆流防止弁１４からサーモユニット１６までの通水路１０ｂと連通路（排水路）８６を介して連通している。
水抜き操作により吸気排水弁ユニット３４の弁体５６が開弁すると、第３の吸気口４０から連通路（吸気路）８４を介して水用逆流防止弁１４からサーモユニット１６までの通水路１０ｂに吸気されるようになっている。
同時に、水用逆流防止弁１４からサーモユニット１６までの通水路１０ｂ内の残水が、図４及び図６に示すように、連通路（排水路）８６を経て第１の排水口４８から下方の連通路（排水路）７６，７８，８０に排出され、この連通路（排水路）７６，７８，８０から水栓本体２の外部へ排水されるようになっている。
【００４２】
つぎに、図１、図３、図４、図６及び図７に示すように、吸気部Ｉの第４の吸気口４２は、水栓本体２内の湯用逆流防止弁１２からサーモユニット１６までの通湯路８ｂと連通路（吸気路）８８を介して連通している。
一方、排水部Ｏの第２の排水口５０は、水栓本体２内の湯用逆流防止弁１２からサーモユニット１６までの通湯路８ｂと連通路（排水路）９０を介して連通している。
水抜き操作により吸気排水弁ユニット３４の弁体５６が開弁すると、第４の吸気口４２から連通路８８を介して湯用逆流防止弁１２からサーモユニット１６までの通湯路８ｂに吸気されるようになっている。
同時に、湯用逆流防止弁１２からサーモユニット１６までの通湯路８ｂ内の残湯が、図４及び図６に示すように、連通路（排水路）９０を経て第２の排水口５０から下方の連通路（排水路）７６，７８，８０に排出され、この連通路（排水路）７６，７８，８０から水栓本体２の外部へ排水されるようになっている。
【００４３】
つぎに、図１及び図５に示すように、サーモユニット１６は、その上流側の通湯路８ｂの湯が流入する湯流入部１６ａと、サーモユニット１６の上流側の通水路１０ｂの水が流入する水流入部１６ｂと、これらの湯流入部１６ａ及び水流入部１６ｂのそれぞれから流入する湯及び水の量を調節して混合することにより温度調節した湯水を流出させる湯水流出部１６ｃを備えており、湯流入部１６ａ及び水流入部１６ｂから湯水流出部１６ｃに向かって下方に傾斜するように水栓本体２内に傾斜して配置されている。
また、図１、図４、図６及び図７に示すように、排水部Ｏの第３の排水口５２は、連通路（排水路）９２を介して、サーモユニット１６の湯流入部１６ａ及び水流入部１６ｂのそれぞれから切替ユニット２２の切替バルブ２６までの湯水混合路２４と連通している。
水抜き操作により吸気排水弁ユニット３４の弁体５６が開弁すると、第３の吸気口４０から連通路（吸気路）８４を介して水用逆流防止弁１４からサーモユニット１６までの通水路１０ｂに吸気されると共に、第４の吸気口４２から連通路８８を介して湯用逆流防止弁１２からサーモユニット１６までの通湯路８ｂに吸気され、これらの吸気された外気がサーモユニット１６の湯流入部１６ａ及び水流入部１６ｂのそれぞれからサーモユニット１６内に流入した後、切替ユニット２２の切替バルブ２６までの湯水混合路２４に流入するようになっている。
同時に、サーモユニット１６の湯流入部１６ａ及び水流入部１６ｂのそれぞれから切替ユニット２２の切替バルブ２６までの湯水混合路２４内に残された湯水が、連通路（排水路）９２を経て第３の排水口５２から下方の連通路（排水路）７６，７８，８０に排出され、この連通路（排水路）７６，７８，８０から水栓本体２の外部へ排水されるようになっている。
【００４４】
つぎに、図１、図３、図４及び図７に示すように、吸気部Ｉの第５の吸気口４４は、切替ユニット２２の切替バルブ２６からカラン１８までの流路９４と連通路（吸気路）９６を介して連通している。
水抜き操作により吸気排水弁ユニット３４の弁体５６が開弁すると、第５の吸気口４４から連通路（吸気路）９６を介して、切替ユニット２２の切替バルブ２６からカラン１８までの流路９４に吸気されるようになっている。
同時に、切替ユニット２２の切替バルブ２６からカラン１８までの流路９４内に残された湯水が、カラン１８から水栓本体２の外部へ排水されるようになっている。
【００４５】
つぎに、図６に示すように、水栓本体２において、正面側から見て吐止水切替ハンドル３０の後方且つ下方の右側端部には、先端部にシャワーヘッド２０が設けられたシャワーホース２０ａを接続する接続部材９８が取り付けられている。
また、図１、図３、図４、図６及び図７に示すように、吸気部Ｉの第６の吸気口４６は、切替ユニット２２の切替バルブ２６から接続部材９８を経てシャワーヘッド２０までの流路１００と、連通路（吸気路）１０２を介して連通している。
一方、排水部Ｏの第４の排水口５４は、切替ユニット２２の切替バルブ２６から接続部材９８を経てシャワーヘッド２０までの流路１００と、連通路（排水路）１０４を介して連通している。
さらに、図６に示すように、シャワーホース接続部材９８の内部に形成されている流路１００は、排水部Ｏの第４の排水口５４及び連通路（排水路）１０４よりも上方に位置しており、排水部Ｏの最低位置よりも上方に位置している。
【００４６】
図１、図３、図４、図６及び図７に示すように、シャワーヘッド２０の吐水口（図示せず）が水栓本体２よりも上方に位置している場合には、水抜き操作により吸気排水弁ユニット３４の弁体５６が開弁すると、シャワーヘッド２０の吐水口（図示せず）から流路１００内に吸気されると共に、第６の吸気口４６から連通路（吸気路）１０２を介して、切替ユニット２２の切替バルブ２６からシャワーヘッド２０までの流路１００に吸気されるようになっている。
同時に、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水されるようになっている。
一方、シャワーヘッド２０の吐水口（図示せず）が水栓本体２よりも下方に位置している場合には、水抜き操作により吸気排水弁ユニット３４の弁体５６が開弁すると、第６の吸気口４６から連通路（吸気路）１０２を介して、切替ユニット２２の切替バルブ２６からシャワーヘッド２０までの流路１００に吸気されるようになっている。
同時に、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水されるようになっている。このとき、シャワーヘッド２０の吐水口（図示せず）を床置きした状態や下向きに配置した状態では、シャワーヘッド２０の吐水口（図示せず）からも残水が排水されるようになっている。
【００４７】
なお、本実施形態においては、水用逆流防止弁１４からサーモユニット１６までの通水路１０ｂと、サーモユニット１６の湯流入部１６ａ及び水流入部１６ｂのそれぞれから切替ユニット２２の切替バルブ２６までの湯水混合路２４とが、互いに構造的に連通しており、湯用逆流防止弁１２からサーモユニット１６までの通湯路８ｂと、サーモユニット１６の湯流入部１６ａ及び水流入部１６ｂのそれぞれから切替ユニット２２の切替バルブ２６までの湯水混合路２４とについても、互いに構造的に連通しているため、水用逆流防止弁１４からサーモユニット１６までの通水路１０ｂを吸気するための第３の吸気口４０及び連通路（吸気路）８４を省略した場合、或いは、湯用逆流防止弁１２からサーモユニット１６までの通湯路８ｂを吸気するための第４の吸気口４２及び連通路（吸気路）８８を省略した場合であっても、サーモユニット１６の湯流入部１６ａ及び水流入部１６ｂのそれぞれから切替ユニット２２の切替バルブ２６までの湯水混合路２４に対して十分に吸気することができるため、第３の吸気口４０及び連通路（吸気路）８４、又は、第４の吸気口４２及び連通路（吸気路）８８のいずれか一方については省略してもよい。
また、水用逆流防止弁１４からサーモユニット１６までの通水路１０ｂと、サーモユニット１６の湯流入部１６ａ及び水流入部１６ｂのそれぞれから切替ユニット２２の切替バルブ２６までの湯水混合路２４とが、互いに構造的に連通しており、湯用逆流防止弁１２からサーモユニット１６までの通湯路８ｂと、サーモユニット１６の湯流入部１６ａ及び水流入部１６ｂのそれぞれから切替ユニット２２の切替バルブ２６までの湯水混合路２４とについても、互いに構造的に連通している。したがって、水用逆流防止弁１４からサーモユニット１６までの通水路１０ｂ内の残水を排水するための第１の排水口４８及び連通路（排水路）８６が少なくとも設けられているか、或いは、湯用逆流防止弁１２からサーモユニット１６までの通湯路８ｂ内の残湯を排水するための第２の排水口５０及び連通路（排水路）９０が少なくとも設けられているか、或いは、サーモユニット１６の湯流入部１６ａ及び水流入部１６ｂのそれぞれから切替ユニット２２の切替バルブ２６までの湯水混合路２４内に残された湯水を排水するための第３の排水口５２及び連通路（排水路）９２が少なくとも設けられていればよい。
【００４８】
上述した本発明の第１実施形態による湯水混合水栓装置１によれば、水供給脚６の上流側の水抜き栓（図示せず）が水抜き側に操作されると、給水源（図示せず）からの給水が停止され、水供給脚６の上流側の流路内の水圧が低下し、大気圧以下となることにより負圧が発生し、この負圧によって、水栓本体２の水用逆流防止弁１４よりも上流側の通水路１０内の水が水供給脚６内を通じて水供給脚６の上流側へ排出される。これにより、水栓本体２の上流側の流路内の圧力が大気圧以下になるため、連通路６８を通じて圧力室６６ａ内に水が供給されなくなり、圧力室６６ａ内の圧力が低下する。したがって、弁体５６を背面側から押す力がなくなり、コイルばね６０の付勢力によって、弁体５６は、図８に示す閉弁状態から開弁する方向（図８の左側方向）に移動し、図９に示すように開弁し、図７に示す水栓本体２の背面の連通口３６、各吸気口３８，４０，４２，４４，４６及び各排水口４８，５０，５２，５４を同時に開放することができる。なお、この際に弁体５６がコイルばね６０の付勢力によって完全に開弁されるため、連通室６６ａが最小化され、圧力室６６ａ内の水をより確実に排出することが可能となる。
【００４９】
また、水抜き操作により吸気排水弁ユニット３４の弁体５６が開弁すると、第１の吸気口３６から連通路（吸気路）６８を介して水用逆流防止弁１４よりも上流側の通水路１０ａに吸気され、この水用逆流防止弁１４よりも上流側の通水路１０ａ及び水供給脚６内の水が水供給脚６の上流側へ排水される。
同時に、第２の吸気口３８から連通路（吸気路）８２を介して湯用逆流防止弁１２よりも上流側の通湯路８ａに吸気され、この湯用逆流防止弁１２よりも上流側の通湯路８ａ及び湯供給脚４内の湯が湯供給脚４の上流側へ排水される。
さらに、同時に、第３の吸気口４０から連通路（吸気路）８４を介して水用逆流防止弁１４からサーモユニット１６までの通水路１０ｂに吸気されることにより、水用逆流防止弁１４からサーモユニット１６までの通水路１０ｂ内の残水が、図４、図６及び図９に示すように、連通路（排水路）８６を経て第１の排水口４８から下方の連通路（排水路）７６，７８，８０に排出され、この連通路（排水路）７６，７８，８０から水栓本体２の外部へ排水される。
さらに、同時に、第４の吸気口４２から連通路８８を介して湯用逆流防止弁１２からサーモユニット１６までの通湯路８ｂに吸気されることにより、湯用逆流防止弁１２からサーモユニット１６までの通湯路８ｂ内の残湯が、図４及び図６に示すように、連通路（排水路）９０を経て第２の排水口５０から下方の連通路（排水路）７６，７８，８０に排出され、この連通路（排水路）７６，７８，８０から水栓本体２の外部へ排水される。
さらに、同時に、第３の吸気口４０から連通路（吸気路）８４を介して水用逆流防止弁１４からサーモユニット１６までの通水路１０ｂに吸気された外気と、第４の吸気口４２から連通路８８を介して湯用逆流防止弁１２からサーモユニット１６までの通湯路８ｂに吸気された外気が、サーモユニット１６の湯流入部１６ａ及び水流入部１６ｂのそれぞれからサーモユニット１６内に流入した後、切替ユニット２２の切替バルブ２６までの湯水混合路２４に流入し、切替ユニット２２の切替バルブ２６までの湯水混合路２４内に残された湯水が、連通路（排水路）９２を経て第３の排水口５２から下方の連通路（排水路）７６，７８，８０に排出され、この連通路（排水路）７６，７８，８０から水栓本体２の外部へ排水される。
さらに、同時に、第５の吸気口４４から連通路（吸気路）９６を介して、切替ユニット２２の切替バルブ２６からカラン１８までの流路９４に吸気されることにより、切替ユニット２２の切替バルブ２６からカラン１８までの流路９４内に残された湯水が、カラン１８から水栓本体２の外部へ排水される。
さらに、同時に、シャワーヘッド２０の吐水口（図示せず）が水栓本体２よりも上方に位置している場合には、シャワーヘッド２０の吐水口（図示せず）から流路１００内に吸気されると共に、第６の吸気口４６から連通路（吸気路）１０２を介して、切替ユニット２２の切替バルブ２６からシャワーヘッド２０までの流路１００に吸気されることにより、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水される。一方、シャワーヘッド２０の吐水口（図示せず）が水栓本体２よりも下方に位置している場合には、第６の吸気口４６から連通路（吸気路）１０２を介して、切替ユニット２２の切替バルブ２６からシャワーヘッド２０までの流路１００に吸気されることにより、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７８から水栓本体２の外部へ排水される。このとき、シャワーヘッド２０の吐水口（図示せず）を床置きした状態や下向きに配置した状態では、シャワーヘッド２０の吐水口（図示せず）からも残水が排水される。
これらの結果、水供給脚６の上流側の水抜き栓（図示せず）が水抜き側に操作するだけで、吸気排水弁ユニット３４の吸気排水弁本体３２の弁体５６を自動的に開弁させることができ、水栓本体２に対して吸気及び排水を自動的に行うことができる。よって、湯水混合水栓装置１自体に触れたり、煩雑な操作を要することなく、簡単に水栓本体２内に対して水抜きをすることができる。また、１回の水抜き操作で吸気排水弁本体３２が開弁することにより、水栓本体２に対して吸気及び排水が同時に行われるため、効率よく且つ確実に水栓本体２内の水抜きを行うことができる。
【００５０】
さらに、本実施形態による湯水混合水栓装置１によれば、吸気排水弁ユニット３４の吸気排水弁本体３２により開閉される各吸気口３６，３８，４０，４２，４４，４６や排水口４８，５０，５２，５４が水栓本体２自体に集約して設けられているため、寒冷地以外の一般地で使用されている水供給脚及び湯供給脚と、これらに接続されている一般地用の水栓本体について、一般地で使用されている水供給脚及び湯供給脚をそのまま使用し、一般地用の水栓本体のみを本実施形態の湯水混合水栓装置１の水栓本体２に交換するだけで、寒冷地に対応することができ、使い勝手がよい。
【００５１】
また、本実施形態による湯水混合水栓装置１によれば、水抜き操作により給水源（図示せず）から水栓本体２への給水が停止されると、吸気排水弁ユニット３４の単一の吸気排水弁本体３２の弁体５６が自動的に開弁し、水栓本体２に対して自動的に吸気及び排水が可能になるため、簡易な単一の吸気排水弁本体３２の弁体５６の構造で、煩雑な操作を要することなく、簡単に水抜きをすることができる。
【００５２】
さらに、本実施形態による湯水混合水栓装置１によれば、水栓本体２の水用逆流防止弁１４よりも上流側の通水路１０ａと水栓本体２の背面の連通口３６とを連通させる連通路６８が、吸気排水弁ユニット３４の圧力室（背圧室）６６ａ及び連通室６６ｂと連通しており、給水源（図示せず）から給水され、水供給脚６から水栓本体２の水用逆流防止弁１４よりも上流側の通水路１０ａに供給された水の一部が、連通路６８を通過し、連通室６６ｂ及び弁体５６の第１の連通穴７０を経て圧力室（背圧室）６６ａに流入する。そして、圧力室（背圧室）６６ａ内の水圧が、弁体５６を背面側から押圧し、その押圧力がコイルばね６０の付勢力を上回ることにより弁体５６が閉弁し、水栓本体２の背面の各吸気口３８，４０，４２，４４，４６及び各排水口４８，５０，５２，５４が同時に閉鎖される。
一方、水供給脚６の上流側の水抜き栓（図示せず）が水抜き側に操作されると、給水源（図示せず）からの給水が停止され、水供給脚６の上流側の流路内の水圧が低下し、大気圧以下となることにより負圧が発生し、この負圧によって、水栓本体２の水用逆流防止弁１４よりも上流側の通水路１０内の水が水供給脚６内を通じて水供給脚６の上流側へ排出される。したがって、水栓本体２の上流側の流路内の圧力が大気圧以下になるため、連通路６８から連通路６６ｂ及び弁体５６の第１の連通穴７０を経て圧力室６６ａ内に水が供給されなくなり、圧力室６６ａ内の圧力が低下する。これにより、弁体５６を背面側から押す力がなくなり、コイルばね６０の付勢力によって、弁体５６は、図８に示す閉弁状態から開弁する方向（図８の左側方向）に移動し、図９に示すように開弁し、水栓本体２の背面の連通口３６、各吸気口３８，４０，４２，４４，４６及び各排水口４８，５０，５２，５４が同時に開放される。
また、弁体５６が開弁したときに、連通路（吸気路）７４等から圧力室６６ａ及び連通室６６ｂ内に吸気が行われ、圧力室６６ａ及び連通室６６ｂ内の水が連通路（排水路）７６，７８，８０等を介して水栓本体２の外部に排出することもできるため、圧力室６６ａ及び連通室６６ｂ内に水が残されて凍結してしまうことを防ぐことができる。
【００５３】
また、本実施形態による湯水混合水栓装置１によれば、吸気排水弁ユニット３４の吸気排水弁本体３２の弁体５６が、圧力室６６ａ内に水圧により開閉するダイヤフラム式の弁体であるため、圧力室６６ａ内の水圧により滑らかに開閉移動させることができ、吸気排水弁本体３２の開閉性能を向上させることができる。
【００５４】
さらに、本実施形態による湯水混合水栓装置１によれば、給水源（図示せず）から水栓本体２に給水された水は、吸気排水弁ユニット３４の吸気排水弁本体３２の弁体５６に形成された弁体５６の第１の連通穴７０を通過して弁体５６の背圧側の圧力室６６ａ内に流入することができ、この圧力室６６ａに流入した水の圧力により、弁体５６が閉弁する方向に容易に移動することができる。
一方、水供給脚６の上流側の水抜き栓（図示せず）が水抜き側に操作される水抜き操作により、給水源（図示せず）から水栓本体２への給水が停止されると、水栓本体２の上流側の水圧が低下することにより、弁体５６の第１の連通穴７０を通過して背圧側の圧力室６６ａ内に流入する水の圧力が低下するため、弁体５６が開弁する方向に容易に移動することができる。
したがって、背圧側の圧力室６６ａ内に水を供給するための第１の連通穴７０を弁体５６に設けた簡易な構造で、煩雑な操作を要することなく、簡単に水抜きをすることができる。
【００５５】
また、本実施形態による湯水混合水栓装置１によれば、吸気排水弁ユニット３４が弁体５６を前後方向に摺動可能な手動操作用のつまみ部材８１を備えている。したがって、水供給脚６の上流側の水抜き栓（図示せず）が水抜き側に操作され、水栓本体２への給水が停止されて吸気排水弁本体３２の弁体５６を開弁させようとした際に、万一、吸気排水弁本体３２の弁体５６が固着して閉弁したままの状態になっていても、手動操作用のつまみ部材８１を背面側に引っ張るように手動で操作することにより、吸気排水弁本体３２の弁体５６を強制的に開弁させることができるため、確実に水抜きをすることができる。
【００５６】
さらに、本実施形態による湯水混合水栓装置１によれば、サーモユニット１６が、湯流入部１６ａ及び水流入部１６ｂから湯水流出部１６ｃに向かって下方に傾斜するように水栓本体２内に傾斜して配置されているため、水抜き操作により、給水源（図示せず）から水栓本体２への給水が停止された際に、サーモユニット１６内の残水を湯水流出部１６ｃから排出しやすくすることができる。したがって、サーモユニット１６内に水が残されて凍結してしまうことを防ぐことができ、凍結によるサーモユニット１６の破損を防ぐことができる。
【００５７】
また、本実施形態による湯水混合水栓装置１によれば、シャワーホース接続部材９８の内部に形成されている流路１００は、排水部Ｏの第４の排水口５４及び連通路（排水路）１０４よりも上方に位置しており、排水部Ｏの最低位置よりも上方に位置している。したがって、水抜き操作により、給水源（図示せず）から水栓本体２への給水が停止された際に、シャワーホース２０ａの流路１００内からシャワーホース接続部材９８の流路１００内に流れ込んだ残水を連通路（排水路）１０４を経て吸気排水弁本体３２の弁体５６により開閉される排水部Ｏの第４の排水口５４から確実に排水することができ、シャワーホース接続部材９８の流路１００内に水が残されて凍結してしまうことを防ぐことができる。
【００５８】
なお、本実施形態においては、水栓本体２の内部の水を連通路（排水路）７６，７８，８０を通じて直接的に水栓本体２の外部へと排水する形態について説明したが、連通路（排水路）７６，７８，８０をカラン１８及び／又はシャワーヘッド２０の吐水部と接続することで、これらの吐水部を通じて間接的に水栓本体２の外部に排水する形態にしても良い。
【００５９】
つぎに、図１０〜図１７を参照して、本発明の第２実施形態による湯水混合水栓装置について説明する。
まず、図１０は、本発明の第２実施形態による湯水混合水栓装置を斜め後方から見た斜視図である。
図１０に示すように、本発明の第２実施形態による湯水混合水栓装置２００は、給湯源（図示せず）から供給される湯と給水源（図示せず）から供給される水を混合し、単一の操作ハンドル２０２を操作することにより湯水の流量と温度を調整した湯水をスパウト２０４の先端部の吐水口２０６から吐止水することができる、いわゆる、シングルレバー式の湯水混合水栓装置である。
【００６０】
すなわち、本実施形態の湯水混合水栓装置２００は、台所のシンク又は洗面台のカウンターＢ上に配置された水栓本体２０８と、この水栓本体２０８の上部に設けられた操作ハンドル２０２を備えている。
操作ハンドル２０２は、水栓本体２０８に対して水平左右方向に延びる所定の操作軸線Ａ１を中心に鉛直平面内で所定の回動角度θ（以下「流調操作角度θ」）まで回動操作が可能であり、流調操作角度θに応じて湯水混合水栓装置２００を止水状態から最大流量の吐水状態まで湯水の吐水流量を調節する流調操作が可能となっている。
また、操作ハンドル２０２は、水栓本体２０８に対して上下方向に延びる所定の操作軸線Ａ２を中心に水平平面内で所定の回動角度φ（以下「温調操作角度φ」）で回動操作が可能であり、温調操作角度φに応じて湯水混合水栓装置２００のスパウト２０４の吐水口２０６から吐水される湯水の温度を調節する温調操作が可能となっている。
【００６１】
すなわち、操作ハンドル２０２を所定の操作軸線Ａ１を中心に所定の流調操作角度θで上方（図１０に示す「開」の方向）に回動操作した場合には、スパウト２０４の吐水口２０６から吐出される湯水が吐水状態に設定されるようになっており、操作ハンドル２０２を回動させる流調操作角度θを大きく設定する程、スパウト２０４の吐水口２０６から吐出される湯水の流量が大きく設定されるようになっている。
一方、例えば、流調操作角度θが０°になるように、操作ハンドル２０２を下方（図１０に示す「閉」の方向）に回動操作した場合には、スパウト２０４の吐水口２０６から吐出される湯水が止水状態に設定されるようになっている。
【００６２】
さらに、操作ハンドル２０２を所定の操作軸線Ａ２を中心に所定の温調操作角度φで図１０に示す「Ｃ」の方向に回動させた場合には、温調操作角度φの大きさが大きい程、スパウト２０４の吐水口２０６から吐出される湯水の温度がより低温側に設定されるようになっている。
一方、操作ハンドル２０２を所定の操作軸線Ａ２を中心に所定の温調操作角度φで図１０に示す「Ｈ」の方向に回動操作した場合には、温調操作角度φの大きさが大きい程、スパウト２０４の吐水口２０６から吐出される湯水の温度がより高温側に設定されるようになっている。
【００６３】
つぎに、図１０に示すように、水栓本体２０８の下方には、水道管等の給水源（図示せず）からの給水される水を水栓本体２０８内に供給する給水管２１０と、給湯源である給湯器（図示せず）からの湯を供給する給湯管２１２がそれぞれ設けられている。
また、この給水管２１０の上流側の流路には、寒冷地等において湯水混合水栓装置２００に対して水抜きを行う際に操作される水抜き栓（図示せず）が設けられている。
さらに、水栓本体２０８の背面側には、給水管２１０の上流側の水圧により開閉する吸気排水弁本体２１４を備えた吸気排水弁ユニット２１６（詳細は後述する）と、この吸気排水弁ユニット２１６の吸気排水弁本体２１４が開弁することにより吸気及び排水が可能となる連通部Ｃ（詳細は後述する）と、吸気排水弁ユニット２１６の吸気排水弁本体２１４が開弁することにより排水が可能となる排水部Ｄ（詳細は後述する）が設けられている。
【００６４】
給水管２１０の上流側の水抜き栓（図示せず）が水抜き側に操作されると、給水源（図示せず）から水栓本体２０８への給水が停止され、給水管２１０の上流側の流路内の水圧が低下することにより負圧が発生し、吸気排水弁ユニット２１６の吸気排水弁本体２１４が開弁するようになっている。
これにより、スパウト２０４の吐水口２０６から詳細は後述する水栓本体２０８内の流路に対して外気が吸気された後、連通部Ｃに自動的に吸気されるようになっている。
さらに、この連通部Ｃ内の湯及び／又は水は、給水管２１０及び給湯管２１２のそれぞれの上流側に自動的に排水されると共に、詳細は後述する吸気排水弁ユニット２１４により開放される排水部Ｄから水栓本体２０８の外部に自動的に排水されるようになっている。
【００６５】
つぎに、図１０〜図１４を参照して、本実施形態の湯水混合水栓装置の水栓本体の内部構造について説明する。
図１１は、図１０のＸＩ−ＸＩ線に沿った断面図であり、本発明の第２実施形態による湯水混合水栓装置における通湯路及び通水路の正面断面を含む正面断面図である。
また、図１２は、図１１のＸＩＩ−ＸＩＩ線に沿った断面図であり、本発明の第２実施形態による湯水混合水栓装置における通水路の右側側面断面を含む側面断面図である。
さらに、図１３は、図１１のＸＩＩＩ−ＸＩＩＩ線に沿った断面図であり、本発明の第２実施形態による湯水混合水栓装置における中央側面断面図である。
また、図１４は、図１１のＸＩＶ−ＸＩＶ線に沿った断面図であり、本発明の第２実施形態による湯水混合水栓装置におけるバルブユニットの平面断面を含む平面断面図である。
【００６６】
まず、図１１、図１２及び図１４に示すよう、水栓本体２０８内には、その下方（上流）の給水管２１０から供給された水が通過する通水路２１８が上下方向に延びるように形成されると共に、下方（上流）給湯管２１２から供給された湯が通過する通湯路２２０が上下方向に延びるように形成されている。これらの通水路２１８及び通湯路２２０のそれぞれの上端部（下流側端部）は、水栓本体２０８内の上方に内蔵されているバルブユニット２２２の固定弁体２２４の通水路２２４ａ及び通湯路２２４ｂのそれぞれに接続されている。
【００６７】
つぎに、図１１〜図１３に示すように、バルブユニット２２２は、下方に配置されて固定弁体２２４と、この固定弁体２２４の上面に対して摺動可能に且つ回転可能に取り付けられる可動弁体２２６と、可動弁体２２６と操作ハンドル２０２とを接続する接続レバー２２８を備えている。操作ハンドル２０２による流量操作角度θの操作により、接続レバー２２８が可動弁体２２６を固定弁体２２４の上面に沿って前後方向に摺動させることができるようになっており、操作ハンドル２０２による温調操作角度φの操作により、接続レバー２２８が可動弁体２２６を固定弁体２２４の上面内で回転することができるようになっている。
また、図１３及び図１４に示すように、可動弁体２２６の中央部には、可動弁体２２６が開弁した状態で、固定弁体２２４の通水路２２４ａから供給された水と固定弁体２２４の通湯路２２４ｂから供給された湯とが混合される混合室２２６ａが形成されている。
この可動弁体２２６は、開弁している状態では、その混合室２２６ａと固定弁体２２４の通水路２２４ａ及び通湯路２２４ｂの少なくとも一方とが連通するようになっており、混合室２２６で混合された湯水は、可動弁体２２６の混合室２２６ａの下方（下流側）の固定弁体２２４の湯水混合路２２４ｃに流入するようになっている。
【００６８】
さらに、図１１、図１３及び図１４に示すように、水栓本体２０８内における、通水路２１８及び通湯路２２０の背面側には、湯水混合路２３０が形成されており、この湯水混合路２３０の上端部（上流側端部）は、固定弁体２２４の湯水混合路２２４ｃに接続され、湯水混合路２３０の下流側は、スパウト２０４内の流路２０４ａ（図１３参照）と連通している。
これらの構成により、操作ハンドル２０２による流量操作角度θの操作に応じて、可動弁体２２６が固定弁体２２４の通水路２２４ａ及び通湯路２２４ｂを開閉する開閉弁として機能し、スパウト２０４の吐水口２０６からの吐水及び止水を切り替え可能である共に、操作ハンドル２０２による温調操作角度φの操作に応じて、固定弁体２２４の通水路２２４ａ及び通湯路２２４ｂのそれぞれから固定弁体２２４の湯水混合路２２４ｃに流入する湯及び水のそれぞれの量が調節されることにより湯水の温度が調節され、この温度調節された湯水は、水栓本体２０８の湯水混合路２３０からスパウト２０４内の流路２０４ａを経て、スパウト２０４の吐水口２０６から吐水されるようになっている。
【００６９】
つぎに、図１０〜図１７を参照して、本実施形態の湯水混合水栓装置２００の吸気排水弁ユニット２１６、この吸気排水弁ユニット２１６の吸気排水弁本体２１４が開弁することにより吸気及び排水が可能となる連通部Ｃ、及び、吸気排水弁ユニット２１６によりの吸気排水弁本体２１４が開弁することにより吸気及び排水が可能となる排水部Ｄの詳細について説明する。
図１５は、本発明の第２実施形態による湯水混合水栓装置の吸気排水弁ユニットの分解斜視図であり、図１６は、図１２に示す本発明の第２実施形態による湯水混合水栓装置の吸気排水弁ユニットを部分的に拡大して示す部分拡大断面図であり、図１７は、図１３に示す本発明の第２実施形態による湯水混合水栓装置の吸気排水弁ユニットを部分的に拡大して示す部分拡大断面図である。
【００７０】
まず、図１５〜図１７に示すように、吸気排水弁ユニット２１６が取り付けられる水栓本体２０８の背面の吸気排水弁ユニット取付部Ａには、吸気排水弁ユニット２１６の吸気排水弁本体２１４が開弁することにより吸気及び排水が可能となる連通部Ｃとして、吸気排水弁本体２１４の開閉にかかわらず常時開口する第１の連通口２３２と、吸気排水弁本体２１４により開閉される第２の連通口２３４及び第３の連通口２３６がそれぞれ形成されている。
また、水栓本体２０８の背面の吸気排水弁ユニット取付部Ａには、吸気排水弁ユニット２１６の吸気排水弁本体２１４が開弁することにより吸気及び排水が可能となる排水部Ｄとして、排水口２３８が形成されている。
【００７１】
つぎに、吸気排水弁ユニット２１６の吸気排水弁本体２１４は、水栓本体２０８の背面の吸気排水弁ユニット取付部Ａの常時開口する連通口２３２以外の連通口２３４，２３６及び排水口２３８に対して同時に開閉する単一のダイヤフラム式の弁体２４０を備えている。
また、図１５に示すように、吸気排水弁ユニット２１６は、水栓本体２０８の背面の連通口２３２，２３４，２３６及び排水口２３８の中心のばね取付穴２４２に取り付けられるコイルばね２４４を備え、このコイルばね２４４が弁体２４０を前方側から後方側に向かって弁体２４０を付勢するようになっている。
さらに、図１５〜図１７に示すように、吸気排水弁ユニット２１６は、弁体２４０の背面側に取り付けられて弁体２４０を保持する保持部材２４６を備えており、この保持部材２４６と対向する水栓本体２０８の背面にボルト２４８によって固定されている。
【００７２】
また、保持部材２４６の前方側には、弁体２４０が収容される弁室２５０（図１７参照）が、連通部Ｃの一部として形成されており、この弁室２５０は、弁体２４０に対して背面側から水圧を作用させる圧力室（背圧室）２５０ａと、この弁体２４０の前方側に形成されて且つ弁体２４０が開弁している状態で連通部Ｃの各連通口２３２，２３４，２３６及び排水部Ｄの排水口２３８と連通する連通室２５０ｂから構成されている。
なお、図１６及び図１７に示す弁体２４０については、閉弁している状態を示している。
【００７３】
つぎに、図１１、図１２、図１５及び図１６に示すように、水栓本体２０８内には、可動弁体２２６よりも上流側の通水路２１８と水栓本体２０８の背面の第１の連通口２３２とを連通させる第１の連通路２５２が連通部Ｃの一部として形成されている。また、連通室２５０ｂは、弁体２４０の開閉にかかわらず、連通部Ｃの第１の連通口２３２及び第１の連通路２５２と常時連通している。
同様に、図１１及び図１６に示すように、可動弁体２２６よりも上流側の通湯路２２０についても、水栓本体２０８の背面の第２の連通口２３４と連通させる第２の連通路２５４が連通部Ｃの一部として形成されている。また、連通室２５０ｂは、弁体２４０が開弁している状態では、連通部Ｃの第２の連通口２３４及び第２の連通路２５４と連通するようになっている。
さらに、図１５及び図１６に示すように、弁体２４０には、水栓本体２０８の第１の連通路２５２及び第１の連通口２３２と圧力室２５０ａ及び連通室２５０ｂとを常時連通させる連通穴２５６が形成されており、給水管２１０から水栓本体２０８の通水路２１８に供給された水の一部は、連通路２５２を通過し、連通室２５０ｂ及び弁体２４０の連通穴２５６を経て圧力室（背圧室）２５０ａに流入するようになっている。そして、圧力室（背圧室）２５０ａ内の水圧が、弁体２４０を背面側から押圧し、その押圧力がコイルばね２４４の付勢力を上回ることにより弁体２４０が閉弁し、水栓本体２０８の背面の各連通口２３４，２３６及び排水口２３８が同時に閉鎖されるようになっている。
【００７４】
つぎに、図１５及び図１７に示すように、水栓本体２０８内には、湯水混合路２３０の途中と水栓本体２０８の背面の第３の連通口２３６及び連通室２５０ｂとを連通する第３の連通路２５８が形成されている。また、連通室２５０ｂは、弁体２４０が開弁している状態では、連通部Ｃの第３の連通口２３６及び第３の連通路２５８と連通するようになっている。
【００７５】
また、図１５及び図１７に示すように、水栓本体２０８には、吸気排水弁ユニット２１６の下方近傍に排水口２６０が排水部Ｄの一部として設けられている。
さらに、水栓本体２０８内の排水口２６０と排水口２３８との間には、排水口２３８から前方側に所定距離延びた後、下方側に屈曲して所定距離下方に延び、再び後方側に屈曲して所定距離後方に延びる排水路２６２が排水部Ｄの一部として形成されている。
【００７６】
給水管２１０の上流側の水抜き栓（図示せず）が水抜き側に操作されると、給水管２１０から水栓本体２０８の通水路２１８への給水が停止され、給水管２１０の上流側の流路内の水圧が低下することにより負圧が発生し、この負圧によって、水栓本体２０８の通水路２１８内の水が給水管２１０内を通じて給水管２１０の上流側へ排出されるようになっている。
したがって、水栓本体２０８の上流側の流路内の圧力が大気圧以下になることにより、通水路２１８から第１の連通路２５２、第１の連通口２３２、及び弁体２４０の連通穴２５６を経て圧力室（背圧室）２５０ａ内に水が供給されなくなり、圧力室２５０ａ内の圧力が低下するようになっている。これにより、弁体２４０を背面側から押す力がなくない、コイルばね２４４の付勢力によって、弁体２４０は、図１６に示す閉弁状態から開弁する方向（図１６の右側方向）に移動して開弁し、水栓本体２０８の背面の第２の連通口２３４、第３の連通口２３６及び排水口２３８についても、同時に開放されるようになっている。
【００７７】
なお、本実施形態では、吸気排水弁ユニット２１６の吸気排水弁本体２１４の弁体２４０については、単一のダイヤフラム式の弁体２４０を採用した形態について説明するが、このような形態に限られず、前後方向に摺動するピストン式の弁体を採用してもよいし、複数の弁体によって連通口２３４，２３６及び排水口２３８を同時に開閉するようにしてよい。
【００７８】
上述した本発明の第２実施形態による湯水混合水栓装置２００によれば、可動弁体２２６の混合室２２６ａよりも上流側の通水路２１８と連通室２５０ｂとを連通する連通部Ｃの第１の連通路２５２及び第１の連通口２３２が水栓本体２０８に形成されている。また、可動弁体２２６の混合室２２６ａよりも上流側の通湯路２２０と連通室２５０ｂとを連通する連通部Ｃの第２の連通路２５４及び第２の連通口２３４が水栓本体２０８に形成されている。さらに、可動弁体２２６の混合室２２６ａよりも下流側の湯水混合路２３０と連通室２５０ｂとを連通させる連通部Ｃの第３の連通路２５８及び第３の連通口２３６が水栓本体２０８に形成されている。また、弁室２５０内に設けられた吸気排水弁ユニット２１６の吸気排水弁本体２１４が、水栓本体２０８の通水路２１８から、連通部Ｃの第１の連通路２５２、第１の連通口２３２、連通室２５０ｂ、弁体２４０の連通穴２５６、及び圧力室２５０ａ内に流入する水圧により連通部Ｃの第２の連通路２５４及び第２の連通口２３４を開閉し、連通部Ｃの第３の連通路２５８及び第３の連通口２３６を開閉し、排水部Ｄの排水口２３８を開閉する。
したがって、給水管２１０の上流側の水抜き栓（図示せず）が水抜き側に操作されると、給水源（図示せず）から水栓本体２０８への給水が停止され、水栓本体２０８の通水路２１８から連通部Ｃの圧力室２５０ａ内に流入する水の圧力が低下すると、吸気排水弁本体２１４が自動的に開弁し、連通部Ｃの各連通口２３２，２３４，２３６及び排水口２３８が開放された状態となる。
これにより、スパウト２０４の吐水口２０６から、その上流側の湯水混合路２３０に吸気され、湯水混合路２３０から連通部Ｃの第３の連通路２５８及び第３の連通口２３６を経て、連通室２５０ｂ内に吸気されることにより、湯水混合路２３０内の湯水が連通部Ｃの第３の連通路２５８及び第３の連通口２３６を経て、連通室２５０ｂ内に排水される。
そして、連通室２５０ｂ内の排水が、排水部Ｄの排水口２３８から排水路２６２を経て、下方の排水口２６０から水栓本体２０８の外部に排水される。
この結果、給水管２１０の上流側の水抜き栓（図示せず）が水抜き側に操作される水抜き操作により、吸気排水弁ユニット２１６の吸気排水弁本体２１４が自動的に開弁し、水栓本体２０８内に対して吸気及び排水を自動的に行うことができる。
したがって、湯水混合水栓装置２００自体に触れたり、煩雑な操作を要することなく、簡単に水栓本体２０８内に対して水抜きをすることができる。
また、１回の水抜き操作で吸気排水弁ユニット２１６の吸気排水弁本体２１４が自動的に開弁することにより、水栓本体２０８に対して吸気及び排水が同時に行われるため、効率よく且つ確実に水栓本体２０８内の水抜きを行うことができる。
【００７９】
また、本発明の第２実施形態による湯水混合水栓装置２００によれば、水栓本体２０８には、吸気排水弁ユニット２１６の下方近傍に排水口２６０が排水部Ｄの一部として設けられている。したがって、給水管２１０の上流側の水抜き栓（図示せず）が水抜き側に操作され、給水管２１０から水栓本体２０８の通水路２１８への給水が停止され、吸気排水弁本体２１４の弁体２４０が開弁した際に、湯水混合路２３０内から連通部Ｃの第３の連通路２５８及び第３の連通口２３６を経て排水された連通室２５０ｂ内の排水について、排水部Ｄの排水口２３８から排水路２６２を経て、下方の排水口２６０から水栓本体２０８の外部に排水することができるため、より効率よく水栓本体２０８内の水抜きを行うことができる。
【００８０】
さらに、本発明の第２実施形態による湯水混合水栓装置２００によれば、水抜き操作により給水源（図示せず）から水栓本体２０８の給水路２１８への給水が停止されると、吸気排水弁ユニット２１６の単一の吸気排水弁本体２１４の弁体２４０が自動的に開弁し、水栓本体２０８の連通部Ｃに対して自動的に吸気及び排水が可能となり、水栓本体２０８の排水部Ｄに対して自動的に排水が可能となるため、簡易な単一の吸気排水弁本体２１４の弁体２４０の構造で、煩雑な操作を要することなく、簡単に水抜きをすることができる。
【００８１】
また、本発明の第２実施形態による湯水混合水栓装置２００によれば、可動弁体２２６の混合室２２６ａの上流側の通水路２１８と可動弁体２２６の混合室２２６ａの下流側の湯水混合路２３０との間には、給水源（図示せず）から水栓本体２０８の通水路２１８に給水された水が流入する圧力室２５０ａが設けられ、吸気排水弁本体２１４が、この圧力室２５０ａ内に設けられて圧力室（背圧室）２５０ａ内の水圧が作用する弁体２４０を備えている。
そして、この弁体２４０には、水栓本体２０８の第１の連通路２５２及び第１の連通口２３２と圧力室２５０ａ及び連通室２５０ｂとを常時連通させる連通穴２５６が形成されており、水栓本体２０８の吸気排水弁ユニット２１６の近傍には、吸気排水弁本体２１４が開弁することにより圧力室２５０ａ及び連通室２５０ｂに対して吸気及び排水が可能となる連通部Ｃが設けられている。
したがって、水抜き操作により給水源（図示せず）から水栓本体２０８の給水路２１８への給水が停止され、圧力室（背圧室）２５０ａ内の水圧が低下して弁体２４０が開弁したときに、スパウト２０４の吐水口２０６から吸気された外気が、湯水混合路２３０から連通部Ｃの第３の連通路２５８を経て、第３の連通口２３６から連通室２５０ｂ内に吸気されることにより、連通室２５０ｂ内の湯及び／又は水が、排水部Ｄの排水口２３８から排水路２６２を経て、下方の排水口２６０から水栓本体２０８の外部に排水される。したがって、圧力室２５０ａ及び連通室２５０ｂ内に水が残されて凍結してしまうことを防ぐことができる。
【００８２】
さらに、本発明の第２実施形態による湯水混合水栓装置２００によれば、吸気排水弁本体２１４の弁体２４０が、圧力室（背圧室）２５０ａ内に水圧により開閉するダイヤフラム式の弁体２４０であるため、圧力室（背圧室）２５０ａ内の水圧により滑らかに開閉移動させることができ、吸気排水弁本体２１４の開閉性能を向上させることができる。
【００８３】
また、本発明の第２実施形態による湯水混合水栓装置２００によれば、給水源（図示せず）から水栓本体２０８の給水路２１８に給水された水は、連通部Ｃの第１の連通路２５２、第１の連通口２３２、及び連通室２５０ｂを経て、弁体２４０の連通穴２５６を通過して圧力室（背圧室）２５０ａ内に流入することができ、この圧力室（背圧室）２５０ａに流入した水の圧力により、弁体２４０が閉弁する方向に容易に移動することができる。
一方、水抜き操作により、給水源（図示せず）から水栓本体２０８の給水路２１８への給水が停止されると、水栓本体２０８の通水路２１８の上流側の水圧が低下することにより、連通部Ｃの第１の連通路２５２、第１の連通口２３２、及び連通室２５０ｂを経て、弁体２４０の連通穴２５６を通過して圧力室（背圧室）２５０ａ内に流入する水の圧力が低下するため、弁体２４０が開弁する方向に容易に移動することができる。したがって、圧力室（背圧室）２５０ａ内に水を供給するための連通穴２５６を弁体２４０に設けた簡易な構造で、煩雑な操作を要することなく、簡単に水抜きをすることができる。
【００８４】
なお、上述した本発明の第２実施形態による湯水混合水栓装置２００では、吸気排水弁ユニット２１６において、上述した本発明の第１実施形態による湯水混合水栓装置１の吸気排水弁ユニット３４の手動操作用のつまみ材部８１が設けられていない形態について説明したが、このような形態に限られず、本発明の第１実施形態による湯水混合水栓装置１の吸気排水弁ユニット３４の手動操作用のつまみ部材８１と同様な手動操作部を設け、水抜き操作時に、万一、吸気排水弁本体２１６の弁体２４０が固着して閉弁したままの状態になっていても、手動操作用のつまみ部材８１を背面側に引っ張るように手動で操作することにより、吸気排水弁本体２１４の弁体２４０を強制的に開弁させることができようにしてもよい。
【００８５】
つぎに、図１８を参照して、本発明の第３実施形態による湯水混合水栓装置について説明する。
図１８は、本発明の第３実施形態による湯水混合水栓装置における通水路の右側側面断面に沿った側面断面図である。
なお、図１８に示す本発明の第３実施形態による湯水混合水栓装置３００において、図１６及び図１７に示す本発明の第２実施形態による湯水混合水栓装置２００と同一部分については同一の符号を付し、これらの説明については省略する。
【００８６】
図１８に示すように、本発明の第３実施形態による湯水混合水栓装置３００については、吸気排水弁ユニット２１６が取り付けられる水栓本体３０６の背面の吸気排水弁ユニット取付部Ａに、連通部Ｃの第１の連通口２３２及び第１の連通路２５２、第２の連通口２３４及び第２の連通路２５４、並びに、第３の連通口２３６及び第３の連通路２５８が形成されている点で、上述した本発明の第２実施形態による湯水混合水栓装置２００と共通するが、本発明の第２実施形態による湯水混合水栓装置２００の排水部Ｃの排水口２３８、排水口２６０及び排水路２６２が設けられていない点で異なった構成となっている。
また、図１８では、吸気排水弁ユニット２１６の吸気排水弁本体２１４の弁体２４０については、開弁している状態を示しており、水抜き操作時における連通部Ｃの吸気及び排水の流れを矢印で示している。
【００８７】
上述した本発明の第３実施形態による湯水混合水栓装置３００によれば、給水管２１０の上流側の水抜き栓（図示せず）が水抜き側に操作されると、給水源（図示せず）から水栓本体３０８への給水が停止され、水栓本体３０８の通水路２１８から連通部Ｃの圧力室２５０ａ内に流入する水の圧力が低下すると、吸気排水弁本体２１４が自動的に開弁し、連通部Ｃの各連通口２３２，２３４，２３６が開放された状態となる。
これにより、スパウト２０４の吐水口２０６から、その上流側の湯水混合路２３０に吸気され、湯水混合路２３０から連通部Ｃの第３の連通路２５８及び第３の連通口２３６を経て、連通室２５０ｂ内に吸気されることにより、湯水混合路２３０内の湯水が連通部Ｃの第３の連通路２５８及び第３の連通口２３６を経て、連通室２５０ｂ内に排水される。
そして、連通室２５０ｂから連通部Ｃの第１の連通口２３２及び第１の連通路２５２に吸気されることにより、連通室２５０ｂ内の排水の一部が、連通部Ｃの第１の連通口２３２及び第１の連通路２５２を経て、可動弁体２２６の混合室２２６ａよりも上流側の通水路２１８に排水された後、給水管２１０の上流側へ排水される。
同時に、連通室２５０ｂから連通部Ｃの第２の連通口２３４及び第２の連通路２５４に吸気されることにより、連通室２５０ｂ内の排水の一部が、連通部Ｃの第２の連通口２３４及び第２の連通路２５４を経て、可動弁体２２６の混合室２２６ａよりも上流側の通湯路２２０に排水された後、給湯管２１２の上流側へ排水される。
これらの結果、給水管２１０の上流側の水抜き栓（図示せず）が水抜き側に操作される水抜き操作により、吸気排水弁ユニット２１６の吸気排水弁本体２１４が自動的に開弁し、水栓本体２０８内に対して吸気及び排水を自動的に行うことができる。
したがって、湯水混合水栓装置３００自体に触れたり、煩雑な操作を要することなく、簡単に水栓本体３０８内に対して水抜きをすることができる。
【００８８】
なお、本発明の第３実施形態による湯水混合水栓装置３００においては、例として、図１０〜図１７に示す本発明の第２実施形態による湯水混合水栓装置２００の排水部Ｃの排水口２３８、排水口２６０及び排水路２６２のような排水手段を省略した形態について説明したが、このような形態に限られず、本発明の第３実施形態による湯水混合水栓装置の変形例として、これらの排水手段２３８，２６０，２６２を省略しない形態を採用してもよい。
このような本発明の第３実施形態による湯水混合水栓装置の変形例によれば、水抜き操作により給水源（図示せず）から水栓本体３０８の給水路２１８への給水が停止され、圧力室（背圧室）２５０ａ内の水圧が低下して弁体２４０が開弁したときに、スパウト２０４の吐水口２０６から吸気された外気が、湯水混合路２３０から連通部Ｃの第３の連通路２５８を経て、第３の連通口２３６から連通室２５０ｂ内に吸気される。これにより、連通室２５０ｂ内の湯及び／又は水の一部について、連通部Ｃの第１の連通口２３２及び第１の連通路２５２を経て、可動弁体２２６の混合室２２６ａよりも上流側の通水路２１８に排水した後、給水管２１０の上流側へ排水することができる。
また、同時に、連通室２５０ｂ内の湯及び／又は水の一部について、連通部Ｃの第２の連通口２３４及び第２の連通路２５４を経て、可動弁体２２６の混合室２２６ａよりも上流側の通湯路２２０に排水した後、給湯管２１２の上流側へ排水することができる。
さらに、同時に、連通室２５０ｂ内の排水の一部について、排水部Ｄの排水口２３８から排水路２６２を経て、下方の排水口２６０から水栓本体３０８の外部に排水することもできるため、より効率よく且つ確実に水栓本体３０８内の水抜きを行うことができる。また、圧力室２５０ａ及び連通室２５０ｂ内に水が残されて凍結してしまうことを確実に防ぐことができる。
【符号の説明】
【００８９】
１    本発明の第１実施形態による湯水混合水栓装置
２    水栓本体
４    湯供給脚
６    水供給脚
８    通湯路
８ａ  湯用逆流防止弁よりも上流側の通湯路（第２の流路）
８ｂ  湯用逆流防止弁からサーモユニットまでの通湯路
（第３の流路、第７の流路）
１０    通水路
１０ａ  水用逆流防止弁よりも上流側の通水路（第１の流路）
１０ｂ  水用逆流防止弁からサーモユニットまでの通水路
（第３の流路、第６の流路）
１２    湯用逆流防止弁
１４    水用逆流防止弁
１６    サーモユニット（湯水混合部、温度調節機能部）
１６ａ  サーモユニットの湯流入部（温度調節機能部の湯流入部）
１６ｂ  サーモユニットの水流入部（温度調節機能部の水流入部）
１６ｃ  サーモユニットの湯水流出部（温度調節機能部の湯水流出部）
１８    カラン（カラン吐水部）
２０    シャワーヘッド（シャワー吐水部）
２０ａ  シャワーホース
２２    切替ユニット（切替部）
２４    湯水混合路（第８の流路）
２６    切替バルブ（開閉弁）
２８    湯温調節用ダイヤル
３０    吐止水切替ハンドル
３２    吸気排水弁本体（吸気排水弁）
３４    吸気排水弁ユニット（吸気排水弁）
３６    連通口、第１の吸気口（第１の吸気部）
３８    第２の吸気口（第２の吸気部）
４０    第３の吸気口（第３の吸気部、第６の吸気部）
４２    第４の吸気口（第３の吸気部、第６の吸気部）
４４    第５の吸気口（第５の吸気部）
４６    第６の吸気口（第６の吸気部）
４８    第１の排水口（第１の排水部、第３の排水部）
５０    第２の排水口（第１の排水部、第４の排水部）
５２    第３の排水口（第１の排水部、第５の排水部）
５４    第４の排水口（第２の排水部）
５６    ダイヤフラム式の弁体（吸気排水弁）
５８    ばね取付穴
６０    コイルばね
６２    保持部材
６２ａ  通気穴
６４    ボルト
６６    弁室
６６ａ  圧力室（背圧室）
６６ｂ  連通室
６８    連通路（第１の吸気部）
７０    弁体の第１の連通穴（連通部、連通穴）
７２    弁体の第２の連通穴（連通部）
７４    連通路（連通部、吸気部）
７６    連通路（連通部、排水部）
７８    連通路（排水部）
８０    連通路（排水部）
８１    手動操作用のつまみ部材（手動操作部）
８２    連通路（第２の吸気部）
８４    連通路（第３の吸気部、第６の吸気部）
８６    連通路（第１の排水部、第３の排水部）
８８    連通路（第３の吸気部、第７の吸気部）
９０    連通路（第１の排水部、第４の排水部）
９２    連通路（第１の排水部、第５の排水部）
９４    切替ユニットの切替バルブからカランまでの流路（第４の流路）
９６    連通路（第４の吸気部）
９８    接続部材（シャワーホース接続部）
１００    切替ユニットの切替バルブからシャワーヘッドまでの流路（第５の流路）
１０２    連通路（第５の吸気部）
１０４    連通路（第２の排水部）
Ａ    吸気排水弁ユニット取付部
Ｉ    吸気排水弁ユニットにより開放される吸気部
Ｏ    吸気排水弁ユニットにより開放される排水部
２００    本発明の第２実施形態による湯水混合水栓装置
２０２    操作ハンドル
２０４    スパウト
２０４ａ  スパウト内の流路
２０６    スパウトの吐水口（吐水部）
２０８    水栓本体
２１０    給水管
２１２    給湯管
２１４    吸気排水弁本体
２１６    吸気排水弁ユニット
２１８    通水路
２２０    通湯路
２２２    バルブユニット
２２４    固定弁体
２２４ａ  固定弁体の通水路
２２４ｂ  固定弁体の通湯路
２２４ｃ  固定弁体の湯水混合路
２２６    可動弁体（開閉弁）
２２６ａ  可動弁体の混合室（湯水混合部、湯水混合路）
２２８    接続レバー
２３０    湯水混合路
２３２    第１の連通口（第１の連通部）
２３４    第２の連通口（第２の連通部）
２３６    第３の連通口（第３の連通部）
２３８    排水口（排水部）
２４０    ダイヤフラム式の弁体
２４２    ばね取付穴
２４４    コイルばね
２４６    保持部材
２４８    ボルト
２５０    弁室
２５０ａ  圧力室（背圧室）
２５０ｂ  連通室
２５２    第１の連通路（第１の連通部）
２５４    第２の連通路（第２の連通部）
２５６    弁体の連通穴（連通部）
２５８    第３の連通路（第３の連通部）
２６０    排水口（排水部）
２６２    排水路（排水部）
Ａ１  操作軸線
Ａ２  操作軸線
Ｂ    カウンター
Ｃ    吸気排水弁ユニットにより吸気及び排水が可能となる連通部
Ｄ    吸気排水弁ユニットにより吸気及び排水が可能となる排水部
θ    流調操作角度
φ    温調操作角度
３００    本発明の第３実施形態による湯水混合水栓装置
３０８    水栓本体
【図１】
0006497499.tif 000002
【図２】
0006497499.tif 000003
【図３】
0006497499.tif 000004
【図４】
0006497499.tif 000005
【図５】
0006497499.tif 000006
【図６】
0006497499.tif 000007
【図７】
0006497499.tif 000008
【図８】
0006497499.tif 000009
【図９】
0006497499.tif 000010
【図１０】
0006497499.tif 000011
【図１１】
0006497499.tif 000012
【図１２】
0006497499.tif 000013
【図１３】
0006497499.tif 000014
【図１４】
0006497499.tif 000015
【図１５】
0006497499.tif 000016
【図１６】
0006497499.tif 000017
【図１７】
0006497499.tif 000018
【図１８】
0006497499.tif 000019
【図１９】
0006497499.tif 000020